(57)【要約】【課題】映像信号線の電気的な性質が異なることに起因する表示ムラが改善された電気光学装置を提供すること。【解決手段】電気光学装置は、表示領域側に位置するデータ線選択回路１５０と、第１端子群１６１と、第２端子群１６２と、第１端子群１６１の第１端子と電気的に接続された第１映像信号線１６３と、第２端子群１６２の第２端子と電気的に接続された第２映像信号線１６４と、を備え、第１映像信号線１６３は、第１端子から第２端子群側へ延在する第１部分１６３ａと、第１部分１６３ａから第１部分１６３ａと交差する方向へ延在する第２部分１６３ｂと、第２部分１６３ｂからデータ線選択回路１５０側へ延在する第３部分１６３ｃとを有し、第２映像信号線１６４は、第２端子から第１端子群側へ延在する第４部分１６４ａと、第４部分１６４ａから第２部分１６３ｂに沿って延在する第５部分１６４ｂと、第５部分１６４ｂからデータ線選択回路１５０側へ延在する第６部分１６４ｃとを有する。【選択図】図７
2020144179.tif 000002
【特許請求の範囲】
【請求項１】
表示領域と、
第１端子を有する第１端子群と、
前記第１端子に対して前記表示領域側とは反対側に配置された第２端子を有する第２端子群と、
前記第１端子と電気的に接続された第１映像信号線と、
前記第２端子と電気的に接続された第２映像信号線と、を備え、
前記第１映像信号線は、前記第１端子から前記第２端子群側へ延在する第１部分と、前記第１部分から前記第１部分と交差する方向へ延在する第２部分と、前記第２部分から前記表示領域側へ延在する第３部分とを有し、
前記第２映像信号線は、前記第２端子から前記第１端子群側へ延在する第４部分と、前記第４部分から前記第１映像信号線の前記第２部分に沿って延在する第５部分と、前記第５部分から前記第１映像信号線の前記第３部分に沿って前記表示領域側へ延在する第６部分とを有する、電気光学装置。
【請求項２】
表示領域と、
第１端子を有する第１端子群と、
前記第１端子に対して前記表示領域側とは反対側に配置された第２端子を有する第２端子群と、
前記第１端子と電気的に接続された第１映像信号線と、
前記第２端子と電気的に接続された第２映像信号線と、を備え、
前記第１映像信号線は、前記第１端子から前記第２端子群側へ延在する第１部分と、前記第１部分から前記第１部分と交差する方向へ延在する第２部分と、前記第２部分から前記表示領域側へ延在する第３部分とを有し、
前記第２映像信号線は、前記第２端子から前記第１端子群側へ延在する第４部分と、前記第４部分から前記第１映像信号線の前記第２部分と反対方向へ延在する第５部分と、前記第５部分から前記第１映像信号線の前記第３部分に沿って前記表示領域側へ延在する第６部分とを有する、電気光学装置。
【請求項３】
前記第１映像信号線の前記第３部分と前記第２映像信号線の前記第６部分とは、前記第１端子群の前記第１端子と、前記第１端子と隣り合う他の端子との間に配置されている、請求項１または２に記載の電気光学装置。
【請求項４】
前記第１映像信号線の前記第３部分は、前記第１端子の一辺に沿って延在し、前記第２映像信号線の前記第６部分は、前記第１端子の前記一辺に対向する他の辺に沿って配置されている、請求項１または２に記載の電気光学装置。
【請求項５】
前記第１映像信号線の前記第３部分から前記表示領域と反対側へ延在する第１延在部と、
前記第２映像信号線の前記第６部分から前記表示領域と反対側へ延在する第２延在部と、を有する、請求項４に記載の電気光学装置。
【請求項６】
前記第１映像信号線の前記第１部分に電気的に接続された第１静電気保護回路と、
前記第２映像信号線の前記第４部分に電気的に接続された第２静電気保護回路と、を備えた、請求項１乃至５のいずれか一項に記載の電気光学装置。
【請求項７】
請求項１乃至６のいずれか一項に記載の電気光学装置を備えたことを特徴とする電子機器。
【発明の詳細な説明】
【技術分野】
【０００１】
本願は、電気光学装置、該電気光学装置を備えた電子機器に関する。
【背景技術】
【０００２】
電気光学装置として、複数の画素ごとに、スイッチング素子であるトランジスターが設けられたアクティブ駆動型の電気光学装置が知られている。このような電気光学装置において表示品質を高めるべく、画素を高精細化して、表示領域における画素数を増やすことが行われている。画素数を増やすと、電気光学装置に映像データなどの信号を供給するため外部回路との接続を図る端子の数も増えることになる。端子の数の増加に伴って、端子に接続される配線の配置も複雑になることから、複数の端子に接続される配線間の電気的な性質が異なると、配線を経由して伝達される信号に影響を及ぼして表示ムラが生ずるおそれがあった。
【０００３】
このような端子に接続される配線の電気的な性質が異なることに起因する表示ムラを改善する手段として、例えば、特許文献１には、第１の配線が接続される第１行目の端子と、第２の配線が接続される第２行目の端子とを有し、第１行目の端子は、表示領域と基板の外周の一辺との間に配置され、第２行目の端子は第１行目の端子と上記外周の一辺との間に配置され、第１の配線は、表示領域と上記外周の一辺との間に延在し、第２の配線は、表示領域と第２行目の端子との間に延在する電気光学装置が開示されている。特許文献１の電気光学装置によれば、第１の配線が有する第１の配線容量と、第２の配線が有する第２の配線容量とを同程度とすることができるとしている。これにより、第１の配線における信号伝達の時定数と、第２の配線における信号伝達の時定数が同程度となることから、これらの配線の時定数の相違に起因する表示ムラを抑制できるとしている。
【０００４】
また、例えば、特許文献２には、第１画素及び第２画素を含む画素領域と、第１端子と、第１端子を挟んで画素領域の反対側に位置する第２端子と、第１端子から延び、第１信号を第１画素に伝送する経路に含まれる第１配線と、第２端子から延び、第２信号を第２画素に伝送する経路に含まれる第２配線と、を備え、第１信号を伝送する経路と、第２信号を伝送する経路との抵抗の差を、第１配線と第２配線との長さの差に起因する抵抗の差よりも小さくした電気光学装置が開示されている。より具体的には、第２配線を第１配線よりも幅広とする例が示されている。特許文献２の電気光学装置によれば、複数の端子のそれぞれから延びる配線の長さが異なることに起因する表示品質の低下を抑制することができるとしている。
【先行技術文献】
【特許文献】
【０００５】
【特許文献１】特開２０１５−１０６１０９号公報
【特許文献２】特開２０１８−０１７７８９号公報
【発明の概要】
【発明が解決しようとする課題】
【０００６】
上記特許文献１の電気光学装置では、第１行目の端子から表示領域までの第１の配線の長さと、第２行目の端子から表示領域までの第２の配線の長さとが異なることから、配線の長さの違いに起因して表示品質が低下するおそれがある。そのため、上記特許文献２に示された構成を、上記特許文献１の電気光学装置に適用して改善することが考えられるが、複数の端子に接続される配線のそれぞれにおいて、配線の幅を個々に調整することは、複数の端子の画素領域に対する相対的な配置や伝送される信号の種類などを考慮すると、設計上の制約が増えてしまう。つまり、複数の端子に接続される配線の電気的な性質が異なることに起因する表示品質の低下を抑制しつつ、当該配線の設計をできるだけシンプルな構成としたいという課題があった。
【課題を解決するための手段】
【０００７】
本願の電気光学装置は、表示領域と、第１端子を有する第１端子群と、第１端子に対して表示領域側とは反対側に配置された第２端子を有する第２端子群と、第１端子と電気的に接続された第１映像信号線と、第２端子と電気的に接続された第２映像信号線と、を備え、第１映像信号線は、第１端子から第２端子群側へ延在する第１部分と、第１部分から第１部分と交差する方向へ延在する第２部分と、第２部分から表示領域側へ延在する第３部分とを有し、第２映像信号線は、第２端子から第１端子群側へ延在する第４部分と、第４部分から第１映像信号線の第２部分に沿って延在する第５部分と、第５部分から第１映像信号線の第３部分に沿って表示領域側へ延在する第６部分とを有することを特徴とする。
【０００８】
また、本願の他の電気光学装置は、表示領域と、第１端子を有する第１端子群と、第１端子に対して表示領域側とは反対側に配置された第２端子を有する第２端子群と、第１端子と電気的に接続された第１映像信号線と、第２端子と電気的に接続された第２映像信号線と、を備え、第１映像信号線は、第１端子から第２端子群側へ延在する第１部分と、第１部分から第１部分と交差する方向へ延在する第２部分と、第２部分から表示領域側へ延在する第３部分とを有し、第２映像信号線は、第２端子から第１端子群側へ延在する第４部分と、第４部分から第１映像信号線の第２部分と反対方向へ延在する第５部分と、第５部分から第１映像信号線の第３部分に沿って表示領域側へ延在する第６部分とを有することを特徴とする。
【０００９】
上記に記載の電気光学装置において、第１映像信号線の第３部分と第２映像信号線の第６部分とは、第１端子群の第１端子と、第１端子と隣り合う他の端子との間に配置されていることが好ましい。
【００１０】
上記に記載の電気光学装置において、第１映像信号線の第３部分は、第１端子の一辺に沿って延在し、第２映像信号線の第６部分は、第１端子の一辺に対向する他の辺に沿って配置されていることが好ましい。
【００１１】
上記に記載の電気光学装置において、第１映像信号線の第３部分から表示領域と反対側へ延在する第１延在部と、第２映像信号線の第６部分から表示領域と反対側へ延在する第２延在部と、を有することが好ましい。
【００１２】
上記に記載の電気光学装置において、第１映像信号線の第１部分に電気的に接続された第１静電気保護回路と、第２映像信号線の第４部分に電気的に接続された第２静電気保護回路と、を備えることが好ましい。
【００１３】
本願の電子機器は、上記に記載の電気光学装置を備えたことを特徴とする。
【図面の簡単な説明】
【００１４】
【図１】第１実施形態の電気光学装置としての液晶装置を示す斜視図。
【図２】第１実施形態の電気光学装置としての液晶装置の構成を示す分解斜視図。
【図３】第１実施形態の第１実装基板及び第２実装基板が電気的に接続された液晶パネルを示す平面図。
【図４】第１実装基板及び第２実装基板が電気的に接続された液晶パネルを示す側面図。
【図５】第１実施形態の電気光学装置としての液晶装置の電気的な構成を示す回路図。
【図６】端子部における第１端子群及び第２端子群の配置を示す概略平面図。
【図７】実施例１の映像信号線の配置を示す概略平面図。
【図８】実施例２の映像信号線の配置を示す概略平面図。
【図９】実施例３の映像信号線の配置を示す概略平面図。
【図１０】実施例４の映像信号線の配置を示す概略平面図。
【図１１】第２実施形態の実施例５の映像信号線及び静電気保護回路の配置を示す概略平面図。
【図１２】静電気保護回路の電気的な構成例を示す回路図。
【図１３】実施例５の静電気保護回路のトランジスターの配置を示す概略平面図。
【図１４】端子の配線構造を示す概略断面図。
【図１５】静電気保護回路のトランジスターに係る配線構造を示す概略断面図。
【図１６】第２実施形態の実施例６の映像信号線及び静電気保護回路の配置を示す概略平面図。
【図１７】実施例６の静電気保護回路のトランジスターの配置を示す概略平面図。
【図１８】第３実施形態の電子機器としての投射型表示装置の構成を示す概略図。
【図１９】変形例の第１静電気保護回路を示す回路図。
【発明を実施するための形態】
【００１５】
以下、本発明の実施形態について、図面を参照して説明する。なお、以下の各図においては、説明する部分が認識可能な程度の大きさとなるように、適宜拡大または縮小して表示している。
【００１６】
１．第１実施形態
１−１．電気光学装置
本実施形態の電気光学装置として、アクティブ駆動型の液晶装置を例に挙げて説明する。この液晶装置は、後述する電子機器としての投射型表示装置の光変調手段として用いられるマイクロディスプレイである。
【００１７】
図１は第１実施形態の電気光学装置としての液晶装置を示す斜視図、図２は第１実施形態の電気光学装置としての液晶装置の構成を示す分解斜視図である。
【００１８】
図１に示すように、本実施形態の電気光学装置としての液晶装置１は、電気光学パネルとしての液晶パネル１００と、液晶パネル１００に電気的に接続された第１実装基板５１及び第２実装基板５２と、液晶パネル１００を挟んで保持する額縁状のホルダー７０とを備えている。ホルダー７０は、例えば、アルミニウムなどの金属、あるいは合金を用いて形成された第１ホルダー部材７１と第２ホルダー部材７２とにより構成されている。
【００１９】
以降、液晶パネル１００の一辺に沿った一方向をＸ方向とし、該一辺と交差する他の一辺に沿った一方向をＹ方向とし、液晶パネル１００に入射する光Ｌａの進行方向をＺ方向として説明する。Ｘ方向とＹ方向とは直交している。Ｚ方向は、Ｘ方向及びＹ方向に対して直交している。また、Ｚ方向に沿って見ることを「平面視」と言う。
【００２０】
液晶パネル１００に電気的に接続された第１実装基板５１及び第２実装基板５２は、ホルダー７０から＋Ｙ方向に突出し、図示していない外部回路に電気的に接続される。
【００２１】
図２に示すように、本実施形態の液晶パネル１００は、透過型であって、例えば、石英基板などの透光性基板を用いて構成され、対向して配置された素子基板１０１及び対向基板１０２と、この一対の基板の間に挟持された液晶層とを有する。対向基板１０２は、素子基板１０１に対して光Ｌａの入射側に配置されている。液晶パネル１００は、＋Ｘ方向と＋Ｙ方向とにマトリックス状に配置された複数の画素１１１を有する。複数の画素１１１がマトリックス状に配置された領域が表示領域１１０である。なお、表示領域１１０は、表示に寄与しないダミー画素を含んでいてもよい。
【００２２】
対向基板１０２の光Ｌａの入射側に第１防塵基板１０３が配置され、入射した光Ｌａが変調されて表示光として素子基板１０１から射出される側に第２防塵基板１０４が配置されている。第１防塵基板１０３及び第２防塵基板１０４は、液晶パネル１００の表示が拡大投射されたときに、付着した異物の影響を受け難くするために設けられたものである。第１防塵基板１０３及び第２防塵基板１０４は、熱膨張・収縮による寸法変化を考慮して、素子基板１０１や対向基板１０２と同じ、例えば、石英基板などの透光性基板が用いられる。
【００２３】
液晶パネル１００の対向基板１０２から＋Ｙ方向に突出した素子基板１０１の部分が端子部１０５である。端子部１０５には、外部接続用の第１端子群１６１と第２端子群１６２とが表示領域１１０側から＋Ｙ方向に間隔を置いて順に設けられている。第１端子群１６１及び第２端子群１６２は、それぞれ＋Ｘ方向に所定のピッチで配列した複数の端子を含む。素子基板１０１の一辺である端子部１０５の一辺１０５ａに沿って第２端子群１６２が配置され、第２端子群１６２と表示領域１１０との間に第１端子群１６１が配置されている。第１端子群１６１及び第２端子群１６２が配置された端子部１０５の詳しい構成については、後述する。
【００２４】
第１実装基板５１は、第１駆動用ＩＣ２１が実装された第１フレキシブル配線基板３１と、第１フレキシブル配線基板３１に電気的に接続された第１延長基板４１とを有する。同じく、第２実装基板５２は、第２駆動用ＩＣ２２が実装された第２フレキシブル配線基板３２と、第２フレキシブル配線基板３２に電気的に接続された第２延長基板４２とを有する。
【００２５】
液晶パネル１００の端子部１０５に設けられた第１端子群１６１に第１フレキシブル配線基板３１が電気的に接続されている。同じく、液晶パネル１００の端子部１０５に設けられた第２端子群１６２に第２フレキシブル配線基板３２が電気的に接続されている。液晶パネル１００の端子部１０５において、第２フレキシブル配線基板３２に対して−Ｚ方向側に第１フレキシブル配線基板３１が重なって実装されている。
【００２６】
ホルダー７０を構成する第１ホルダー部材７１は、四角形の本体部７１ａと、本体部７１ａから＋Ｙ方向に突出する板状の第１放熱部７３とを有する。第１放熱部７３の＋Ｚ方向側には、＋Ｙ方向に沿って延在すると共に、＋Ｘ方向に所定の間隔で配列する複数の放熱フィン７３０が設けられている。本体部７１ａには、液晶パネル１００の表示領域１１０に対応する部分に四角形の開口部７１２が設けられている。本体部７１ａの四隅のそれぞれに孔７１１が設けられている。
【００２７】
ホルダー７０を構成するもう一方の第２ホルダー部材７２は、四角形の本体部７２ａと、本体部７２ａから＋Ｙ方向に突出する門構え状の第２放熱部７４とを有する。第２放熱部７４の−Ｚ方向側には、＋Ｙ方向に沿って延在すると共に、＋Ｘ方向に所定の間隔で配列する複数の放熱フィン７４０が設けられている。本体部７２ａには、液晶パネル１００の表示領域１１０に対応する部分に四角形の開口部７２２が設けられている。本体部７２ａの四隅のそれぞれに孔７２１が設けられている。第２ホルダー部材７２の＋Ｚ方向側は凹んだ凹部となっている。
【００２８】
つまり、第２ホルダー部材７２の凹部に、第１防塵基板１０３及び第２防塵基板１０４が貼り付けられた液晶パネル１００を収容して、第１ホルダー部材７１で蓋をするように挟み込まれている。第１ホルダー部材７１の本体部７１ａと、第２ホルダー部材７２の本体部７２ａとは、四隅に設けられた孔７１１，７２１に、例えば、ボルトを挿入してネジ止めされる。また、第１放熱部７３と第２放熱部７４との間に第１実装基板５１と第２実装基板５２とが挟み込まれた状態で、第２放熱部７４に対して第１放熱部７３が固定部材７５により固定される。第２放熱部７４の＋Ｘ方向側の側面と−Ｘ方向側の側面とには、固定部材７５が脱着可能に係止される係止部７４ａが設けられている。
【００２９】
なお、本実施形態では、ホルダー７０を含めた液晶装置１を電気光学装置の一例としているが、電気光学装置においてホルダー７０は必須の構成ではない。
【００３０】
図３は第１実施形態の第１実装基板及び第２実装基板が電気的に接続された液晶パネルを示す平面図、図４は第１実装基板及び第２実装基板が電気的に接続された液晶パネルを示す側面図である。図３に示すように、液晶パネル１００は、表示領域１１０において行方向である＋Ｘ方向と列方向である＋Ｙ方向とにマトリックス状に配置された複数の画素１１１を有する。液晶パネル１００は、アクティブ駆動型であって、画素１１１には、画素電極（図示省略）と、画素電極をスイッチング制御するスイッチング素子（図示省略）と、液晶層を挟んで画素電極に対向する対向電極（図示省略）と、保持容量とが設けられている。画素電極と、スイッチング素子と、保持容量とは素子基板１０１に形成されている。スイッチング素子は、例えば、薄膜トランジスター（ＴＦＴ；Thin  Film  Transistor）である。対向電極は、複数の画素電極と対向するように少なくとも表示領域１１０に亘って対向基板１０２に形成されている。画素電極及び対向電極は、例えば、ＩＴＯやＩＺＯなどの透明導電膜を用いて形成されている。
【００３１】
素子基板１０１の端子部１０５には、第１端子群１６１と第２端子群１６２が設けられている。第１端子群１６１に第１実装基板５１の第１フレキシブル配線基板３１が電気的に接続されている。第２端子群１６２に第２実装基板５２の第２フレキシブル配線基板３２が電気的に接続されている。第１フレキシブル配線基板３１に電気的に接続された第１延長基板４１は、＋Ｙ方向の端部が、＋Ｘ方向に屈曲している。これに対して、第２フレキシブル配線基板３２に電気的に接続された第２延長基板４２は、＋Ｙ方向の端部が、−Ｘ方向に屈曲している。第１延長基板４１の＋Ｙ方向の端部には第１入力端子４５が設けられている。第２延長基板４２の＋Ｙ方向の端部には第２入力端子４６が設けられている。平面視で、第２入力端子４６と、第１入力端子４５とは、＋Ｘ方向に直線的に並んだ状態となっている。このような、第１実装基板５１及び第２実装基板５２によれば、外部回路基板に平置きされた２つのコネクターのうち一方のコネクターに第１延長基板４１の第１入力端子４５を接続し、他方のコネクターに第２延長基板４２の第２入力端子４６を接続することができる。つまり、一方のコネクターに第１延長基板４１を接続するときに、第２延長基板４２が邪魔にならない構成となっている。なお、第１延長基板４１及び第２延長基板４２の形状は屈曲した状態であることに限定されず、直線的な形状であってもよい。
【００３２】
図４に示すように、第１フレキシブル配線基板３１の一方の基板面３１ｍに第１駆動用ＩＣ２１が実装されている。第１フレキシブル配線基板３１の一方の基板面３１ｍの端部に接続用端子群３１ｔが設けられている。第２フレキシブル配線基板３２の一方の基板面３２ｍに第２駆動用ＩＣ２２が実装されている。第２フレキシブル配線基板３２の一方の基板面３２ｍの端部に接続用端子群３２ｔが設けられている。つまり、本実施形態において、第１フレキシブル配線基板３１及び第２フレキシブル配線基板３２は、いずれもフレキシブルな片面配線基板である。
【００３３】
対向基板１０２から＋Ｙ方向に張り出した素子基板１０１の端子部１０５に、＋Ｙ方向において、第１端子群１６１と第２端子群１６２とがこの順に設けられている。第１端子群１６１と第１フレキシブル配線基板３１の接続用端子群３１ｔとは、例えば、異方性導電フィルム（ＡＣＦ；Anisotropic  Conductive  Film）を介して電気的に接続されている。第２端子群１６２と第２フレキシブル配線基板３２の接続用端子群３２ｔとは、同じく、例えば、ＡＣＦを介して電気的に接続されている。
【００３４】
素子基板１０１の端子部１０５に、先に実装された第２フレキシブル配線基板３２に対して、−Ｚ方向に重なるように第１フレキシブル配線基板３１が実装されている。また、第２フレキシブル配線基板３２は、端子部１０５における第２端子群１６２の配置に対応して、第１フレキシブル配線基板３１に対して＋Ｙ方向にずれて端子部１０５に実装されている。したがって、素子基板１０１の端子部１０５に第１フレキシブル配線基板３１と第２フレキシブル配線基板３２とが実装された状態では、第２フレキシブル配線基板３２の他方の基板面３２ｎと、第１フレキシブル配線基板３１の一方の基板面３１ｍとが対向した状態となっている。
【００３５】
第１延長基板４１及び第２延長基板４２もまた、フレキシブルな片面配線基板である。第１延長基板４１の一方の基板面４１ｍにおける＋Ｙ方向の端部に第１入力端子４５が設けられ、−Ｙ方向の端部に接続用端子（図示省略）が設けられている。同様に、第２延長基板４２の一方の基板面４２ｍにおける＋Ｙ方向の端部に第２入力端子４６が設けられ、−Ｙ方向の端部に接続用端子（図示省略）が設けられている。第１延長基板４１は−Ｙ方向の端部に設けられた接続用端子を介して第１フレキシブル配線基板３１と電気的に接続されている。第２延長基板４２は−Ｙ方向の端部に設けられた接続用端子を介して第２フレキシブル配線基板３２と電気的に接続されている。
【００３６】
図４では、図示を省略しているが、第１フレキシブル配線基板３１の一方の基板面３１ｍには、複数の配線と、当該複数の配線を被覆する例えばレジスト層またはカバーレイとが設けられている。同様に、第２フレキシブル配線基板３２の一方の基板面３２ｍには、複数の配線と、当該複数の配線を被覆する例えばレジスト層またはカバーレイとが設けられている。第１延長基板４１及び第２延長基板４２のそれぞれにおいても、複数の配線と、当該複数の配線を被覆する例えばレジスト層またはカバーレイとが設けられている。
【００３７】
また、図４には図示していないが、第１駆動用ＩＣ２１は、ベアチップであって、外周がモールドされた状態で、第１フレキシブル配線基板３１に実装されている。第２駆動用ＩＣ２２もまた、ベアチップであって、外周がモールドされた状態で、第２フレキシブル配線基板３２に実装されている。さらには、端子部１０５において、第１端子群１６１と接続用端子群３１ｔとの接続信頼性、及び第２端子群１６２と接続用端子群３２ｔとの接続信頼性を確保すべく、絶縁性を有するモールド材を用いて第１フレキシブル配線基板３１及び第２フレキシブル配線基板３２が実装された端子部１０５の部分を封着（モールド）することが好ましい。なお、第１フレキシブル配線基板３１には、第１駆動用ＩＣ２１以外に、例えば、チップ抵抗やチップコンデンサーなどの電子部品が実装されていてもよい。第２フレキシブル配線基板３２も同様に第２駆動用ＩＣ２２以外の電子部品が実装されていてもよい。
【００３８】
１−２．液晶装置の電気的な構成
図５は電気光学装置としての液晶装置の電気的な構成を示す回路図である。
図５に示すように、本実施形態の電気光学装置としての液晶装置１の液晶パネル１００は、表示領域１１０、走査線駆動回路１３０、データ線選択回路１５０（選択回路）、ｎ本の映像信号線１６０と、ｎ個の映像信号入力端子（第１端子群１６１及び第２端子群１６２）と、ｋ本の選択信号線１４０と、ｋ個の選択信号入力端子１４５と、複数の電源端子１７１，１７２，１７３と、電源端子１７１，１７２，１７３に対応する電源線１７４，１７５，１７６とを有している。ｎは、１以上の整数であり、ｋは２以上の整数である。本実施形態では、図５に示すように、４本の選択信号線１４０を有し、ｋ＝４であるが、これに限定されるものではない。これらの要素は、図２に示す素子基板１０１上に形成されている。素子基板１０１には、表示領域１１０と第１端子群１６１及び第２端子群１６２との間に、＋Ｘ方向に沿ってデータ線選択回路１５０が形成され、データ線選択回路１５０が形成された一辺と交差する他の辺と表示領域１１０との間に、＋Ｙ方向に沿って走査線駆動回路１３０が形成されている。
【００３９】
第１フレキシブル配線基板３１に実装された第１駆動用ＩＣ２１、及び第２フレキシブル配線基板３２に実装された第２駆動用ＩＣ２２は、外部の上位回路（図示せず）から第１延長基板４１及び第２延長基板４２（図４参照）を介して入力されるクロック信号、制御信号、及び映像データなどに従って、液晶パネル１００に表示させる映像を示す映像信号や制御信号などを出力する。液晶パネル１００は、第１駆動用ＩＣ２１及び第２駆動用ＩＣ２２から入力されるクロック信号及び映像信号に基づいて映像を表示する。第１駆動用ＩＣ２１及び第２駆動用ＩＣ２２は、同一の構成を有しており、映像信号以外は同一の信号を出力する。必要に応じて第１駆動用ＩＣ２１及び第２駆動用ＩＣ２２の仕様により一部の駆動に係る信号を異ならしめてもよい。
【００４０】
表示領域１１０には、ｍ本の走査線１１２、（ｋ×ｎ）本のデータ線１１４、及び（ｍ×ｋ×ｎ）個の画素１１１が設けられている。ｍは、１以上の整数である。画素１１１は、走査線１１２とデータ線１１４との交差に対応して設けられ、ｍ行×（ｋ×ｎ）列のマトリックス状に配列される。走査線１１２は、走査信号Ｙ１，Ｙ２，Ｙ３，〜Ｙｍを伝送する信号線であり、走査線駆動回路１３０から行方向であるＸ方向に沿って設けられている。データ線１１４は、データ信号を伝送する信号線であり、データ線選択回路１５０から列方向であるＹ方向に沿って設けられている。
【００４１】
表示領域１１０において、ｋ本（列）のデータ線１１４に対応するｋ×ｍ個の画素１１１が、１つの画素群（ブロック）を形成している。例えば、複数（ｍ個）の第１画素１１１ａがＹ方向に沿って配列された第１画素列１１１ｅがＸ方向に沿って複数（ｋ列）配列された第１画素群１１１ｈと、複数（ｍ個）の第２画素１１１ｂがＹ方向に沿って配列された第２画素列１１１ｆがＸ方向に沿って複数（ｋ列）配列された第２画素群１１１ｉとが設けられている。ここで、同一の画素群に属する画素１１１は、データ線選択回路１５０を介して同一の映像信号線１６０に接続されている。したがって、液晶パネル１００は、ｎ本（列）の映像信号線１６０あるいはｎ個の映像信号入力端子（第１端子群１６１及び第２端子群１６２）によってｎ個のブロックに区分されたｎ個（列）の画素群を有することになる。
【００４２】
走査線駆動回路１３０は、マトリックス状に配置された複数の画素１１１の中から、データを書き込む行を選択する。具体的には、走査線駆動回路１３０は、複数の走査線１１２の中から１本の走査線１１２を選択するための走査信号を出力する。走査線駆動回路１３０は、第１行、第２行、第３行、〜第ｍ行の走査線１１２に、走査信号Ｙ１，Ｙ２，Ｙ３，〜Ｙｍを供給する。走査信号Ｙ１，Ｙ２，Ｙ３，〜Ｙｍは、例えば、順次排他的にハイレベルとなる信号である。
【００４３】
データ線選択回路１５０は、各画素群において、映像信号を書き込む画素１１１の列（画素列）を選択する。具体的には、データ線選択回路１５０は、その画素群に属するｋ本のデータ線１１４の中から少なくとも１本のデータ線１１４を、選択信号ＳＥＬ［１］〜ＳＥＬ［ｋ］に応じて選択する。データ線１１４は、ｋ本を単位として、データ線選択回路１５０により、１本ずつ１本の映像信号線１６０に接続される。本実施形態において、データ線選択回路１５０は、ｎ個の画素群の各々に対応するｎ個のデマルチプレクサー１５１を有する。
【００４４】
映像信号線１６０は、映像信号入力端子（第１端子群１６１及び第２端子群１６２）とデータ線選択回路１５０とを接続する。映像信号線１６０は、映像信号入力端子（第１端子群１６１及び第２端子群１６２）を介して、第１フレキシブル配線基板３１及び第２フレキシブル配線基板３２から入力された映像信号Ｓ（Ｓ［１］〜Ｓ［ｎ］）を、データ線選択回路１５０に伝送する信号線であり、ｎ個の映像信号入力端子（第１端子群１６１及び第２端子群１６２）あるいはｎ個の画素群の各々に対応して、ｎ列（本）設けられている。映像信号Ｓは、画素１１１に書き込まれるデータを示す信号である。ここで、「映像」は静止画または動画をいう。１本の映像信号線１６０は、データ線選択回路１５０を介してｋ本のデータ線１１４に接続される。従って、映像信号Ｓにおいては、これらｋ本のデータ線１１４に供給されるデータが時分割多重されている。
【００４５】
選択信号線１４０は、選択信号入力端子１４５とデータ線選択回路１５０のデマルチプレクサー１５１とを電気的に接続する。選択信号線１４０（１４０［１］〜１４０［ｋ］）は、選択信号入力端子１４５（１４５［１］〜１４５［ｋ］）から入力された選択信号ＳＥＬ（ＳＥＬ［１］〜ＳＥＬ［ｋ］）を伝送する信号線であり、ｋ本設けられる。選択信号ＳＥＬは、順次ハイレベルとなる信号である。
【００４６】
映像信号入力端子（第１端子群１６１及び第２端子群１６２）は、第１フレキシブル配線基板３１及び第２フレキシブル配線基板３２が電気的に接続される端子であり、映像信号Ｓ［ｊ］が供給される（ｊは、１≦ｊ≦ｎを満たす整数）。この例では、第１駆動用ＩＣ２１から、第２列、第４列、第６列、…第（２ｔ）列の偶数列の映像信号線１６０に対応する映像信号入力端子（第１端子群１６１）に、映像信号Ｓ［２ｔ］が供給される。第２駆動用ＩＣ２２から、第１列、第３列、第５列、…第（２ｔ−１）列の奇数列の映像信号線１６０に対応する映像信号入力端子（第２端子群１６２）に、映像信号Ｓ［２ｔ−１］が供給される（ｔは１≦ｔ≦ｎ／２の整数）。また、映像信号Ｓは、いわゆるデータ信号であり、映像信号入力端子（第１端子群１６１及び第２端子群１６２）には、映像の表示に応じた異なる波形のアナログ信号が供給される。
【００４７】
選択信号入力端子１４５は、第１フレキシブル配線基板３１及び第２フレキシブル配線基板３２に電気的に接続される端子であり、パルス信号からなる選択信号ＳＥＬが供給される。選択信号ＳＥＬは、データ線選択回路１５０において、データ線１１４を選択するタイミング信号である。選択信号入力端子１４５は、第１フレキシブル配線基板３１が電気的に接続される端子、及び第２フレキシブル配線基板３２に電気的に接続される端子が含まれており、第１フレキシブル配線基板３１の第１駆動用ＩＣ２１及び第２フレキシブル配線基板３２の第２駆動用ＩＣ２２の両方あるいは一方から選択信号ＳＥＬが供給される。本実施形態では、第１フレキシブル配線基板３１及び第２フレキシブル配線基板３２の各々に対応する選択信号入力端子１４５には、同じ波形の選択信号ＳＥＬが供給される。従って、選択信号入力端子１４５については、第１フレキシブル配線基板３１が電気的に接続される端子、及び第２フレキシブル配線基板３２に電気的に接続される端子を区別せずに示してあるが、第１フレキシブル配線基板３１が電気的に接続される端子、及び第２フレキシブル配線基板３２に電気的に接続される端子として、第１端子群１６１、及び第２端子群１６２とに区別してもよい。
【００４８】
電源端子１７１、電源端子１７２、及び電源端子１７３は、第１フレキシブル配線基板３１及び第２フレキシブル配線基板３２に電気的に接続される端子であり、第１駆動用ＩＣ２１及び第２駆動用ＩＣ２２を経由せずに、上位回路から第１フレキシブル配線基板３１及び第２フレキシブル配線基板３２を介して電源電圧が供給される。電源電圧とは、液晶パネル１００において電源として用いられる電圧であり、この例では直流電圧である。電源端子１７１は共通電圧ＬＣＣＯＭを供給するための端子であり、電源端子１７２は基準電圧ＶＳＳＹを供給するための端子であり、電源端子１７３は駆動電圧ＶＤＤＹを供給するための端子である。共通電圧ＬＣＣＯＭは、液晶層に印加される電圧の基準電位となる電圧である。基準電圧ＶＳＳＹは、走査線駆動回路１３０における低電圧側の電源電位となる電圧である。駆動電圧ＶＤＤＹは、走査線駆動回路１３０における高電圧側の電源電位となる電圧である。電源端子１７１，１７２，１７３については、第１フレキシブル配線基板３１が電気的に接続される端子、及び第２フレキシブル配線基板３２に電気的に接続される端子を区別せずに示してあるが、第１フレキシブル配線基板３１が電気的に接続される端子、及び第２フレキシブル配線基板３２に電気的に接続される端子として、第１端子群１６１、及び第２端子群１６２とに区別してもよい。
【００４９】
本実施形態では、素子基板１０１において、走査線駆動回路１３０が１つだけ設けられているため、電源端子１７２，１７３は、＋Ｘ方向の片側だけに設けられている。なお、走査線駆動回路１３０の配置はこれに限定されず、Ｘ方向に表示領域１１０を挟んだ両側に走査線駆動回路１３０を設けてもよい。その場合は、電源端子１７１，１７２，１７３は各々、素子基板１０１のＸ方向の両側に設けられる構成となる。
【００５０】
本実施形態では、映像信号Ｓ［ｊ］には、対応する画素群の第［ｋ×ｊ−ｋ＋１］〜第［ｋ×ｊ］列の画素１１１に書き込まれるデータが時分割多重されている。また、Ｓ［ｊ］が奇数番目のＳ［２ｔ−１］である場合は、第２駆動用ＩＣ２２から奇数番目の画素群のデータ線１１４に供給される。また、Ｓ［ｊ］が偶数番目のＳ［２ｔ］である場合は、第１駆動用ＩＣ２１から偶数番目の画素群のデータ線１１４に供給される。かかる構成によれば、第１駆動用ＩＣ２１及び第２駆動用ＩＣ２２の２つの駆動用ＩＣを用いているため、１つの駆動用ＩＣを用いた場合と比較して１周期で２倍の画素１１１に対してデータの書き込みを行うことができる。そして、上述のように、第１端子群１６１及び第２端子群１６２が配置されることにより、高精細で高品位な小型の液晶装置１を実現できる。なお、第１端子群１６１及び第２端子群１６２と画素群のデータ線１１４との接続は、これに限定されず、第１駆動用ＩＣ２１から奇数番目の画素群のデータ線１１４に映像信号Ｓ［Ｊ］が供給され、第２駆動用ＩＣ２２から偶数番目の画素群のデータ線１１４に映像信号Ｓ［Ｊ］が供給されるように、接続してもよい。
【００５１】
１−３．端子部の構成
図６は端子部における第１端子群及び第２端子群の配置を示す概略平面図である。
図６に示すように、素子基板１０１の端子部１０５には、第１端子群１６１と、第２端子群１６２と、前述した第１フレキシブル配線基板３１及び第２フレキシブル配線基板３２の実装に係る４つのアライメントマークＡＬ１〜ＡＬ４とが配置されている。Ｙ方向において、第１端子群１６１は対向基板１０２の一辺１０２ａ側、言い換えれば表示領域１１０側に設けられ、第２端子群１６２は端子部１０５の一辺１０５ａ側に設けられている。本実施形態におけるアライメントマークＡＬ１〜ＡＬ４の外形は円形であるが、これに限定されるものではなく、四角形や十字形などであってもよい。
【００５２】
第１端子群１６１は、＋Ｘ方向に等間隔で配置されたｎ個の第１端子としての、端子１６１(1)、端子１６１(2)、・・・、端子１６１(n-1)、端子１６１(n)を含んで構成されている。第１端子群１６１の各端子は、＋Ｙ方向に長い矩形状であって、Ｘ方向の幅Ｌは例えば４０μｍ（マイクロメートル）、Ｙ方向の長さｈは例えば５００μｍである。＋Ｘ方向に隣り合う端子の間の長さ、つまり端子間スペースＳは例えば１６μｍである。すなわち、端子ピッチＰ１は例えば５６μｍである。端子数ｎを例えば３３３とすると、＋Ｘ方向に配列する端子１６１(1)〜端子１６１(n)までの距離Ｌ１は、Ｐ１×（ｎ−１）＝５６×３３２＝１８５９２μｍである。
【００５３】
第２端子群１６２は、＋Ｘ方向に等間隔で配置されたｎ個の第２端子としての、端子１６２(1)、端子１６２(2)、・・・、端子１６２(n-1)、端子１６２(n)を含んで構成されている。第２端子群１６２の各端子もまた、＋Ｙ方向に長い矩形状であって、Ｘ方向の幅Ｌ及びＹ方向の長さｈ並びに端子間スペースＳは、第１端子群１６１における端子間スペースＳと同じである。第２端子群１６２の第２端子は、第１端子群１６１の第１端子に対して対向基板１０２の一辺１０２ａ側とは反対側に配置されている。
【００５４】
第１端子群１６１と第２端子群１６２とは＋Ｙ方向に距離Ｌ２を置いて並列するように配置されている。第１端子群１６１の−Ｙ方向側の端部と対向基板１０２の一辺１０２ａとの間の距離Ｌ３は、例えば１６００μｍである。第２端子群１６２の＋Ｙ方向側の端部と端子部１０５の一辺１０５ａとの間の距離Ｌ４は例えば１５０μｍである。
【００５５】
第１端子群１６１を＋Ｘ方向に挟むようにして、一対のアライメントマークＡＬ１，ＡＬ２が設けられている。同じく、第２端子群１６２を＋Ｘ方向に挟むようにして、一対のアライメントマークＡＬ３，ＡＬ４が設けられている。双方のアライメントマーク中心間距離Ｌ５は例えば１９０００μｍである。アライメントマークＡＬ１とアライメントマークＡＬ３との中心間距離Ｌ６は例えば２１００μｍである。
【００５６】
このような第１端子群１６１における複数の第１端子のそれぞれと、第２端子群１６２における複数の第２端子のそれぞれとに、図５に示したように映像信号線１６０が電気的に接続される。実際には、第１端子群１６１の方が第２端子群１６２に比べてデータ線選択回路１５０側、つまり表示領域１１０側に配置されることになる。したがって、第１端子群１６１の第１端子及び第２端子群１６２の第２端子のそれぞれに、データ線選択回路１５０から映像信号線１６０を最短で接続すると、第１端子に電気的に接続された映像信号線１６０と、第２端子に電気的に接続された映像信号線１６０とでは長さが異なることになる。このように映像信号線１６０の長さが異なると、映像信号線１６０により伝送される映像信号の電位や、画素１１１への映像信号の伝達時間、言い換えれば、映像信号の応答時間などの電気特性におけるバラツキが生じて表示ムラを生じさせる。発明者らは、このような表示ムラを改善すべく、第１端子群１６１の第１端子と第２端子群１６２の第２端子とにそれぞれ電気的に接続される映像信号線１６０について見直しを行って新たな設計仕様を見出した。以降、具体的な実施例を挙げて説明する。
【００５７】
１−４．映像信号線の実施例
第１端子群１６１の第１端子及び第２端子群１６２の第２端子のそれぞれに電気的に接続される映像信号線１６０として、実施例１〜実施例４を挙げ、図７〜図１０を参照して説明する。
図７は実施例１の映像信号線の配置を示す概略平面図、図８は実施例２の映像信号線の配置を示す概略平面図、図９は実施例３の映像信号線の配置を示す概略平面図、図１０は実施例４の映像信号線の配置を示す概略平面図である。なお、図７〜図１０のそれぞれは、第１端子群１６１のうちの端子１６１(1)及び端子１６１(2)と、第２端子群１６２のうちの端子１６２(1)及び端子１６２(2)と、これらの端子に電気的に接続される映像信号線とを図示したものである。他の端子に電気的に接続される映像信号線の配置は、これらの端子に電気的に接続される映像信号線の配置と同じであるため、図示を省略する。実施例１〜実施例４において映像信号線の形態が異なることから、実施例１〜実施例４の映像信号線についてそれぞれ異なる符号を付して説明する。
【００５８】
１−４−１．実施例１
図７に示すように、実施例１では、第１端子群１６１の端子１６１(1)に第１映像信号線１６３が電気的に接続されている。また、第２端子群１６２の端子１６２(1)に第２映像信号線１６４が電気的に接続されている。同様に、第１端子群１６１の端子１６１(2)に第１映像信号線１６３が電気的に接続されている。また、第２端子群１６２の端子１６２(2)に第２映像信号線１６４が電気的に接続されている。
【００５９】
第１映像信号線１６３は、端子１６１(1)から第２端子群１６２側、つまり＋Ｙ方向へ延在する第１部分１６３ａと、第１部分１６３ａから第１部分１６３ａと交差する−Ｘ方向へ延在する第２部分１６３ｂと、第２部分１６３ｂから−Ｙ方向にデータ線選択回路１５０側へ延在する第３部分１６３ｃとを有している。データ線選択回路１５０は、図５に示したように、液晶パネル１００において、表示領域１１０と、第１端子群１６１及び第２端子群１６２との間に配置されていることから、第３部分１６３ｃは、表示領域１１０側へ延在していると言える。
【００６０】
第２映像信号線１６４は、端子１６２(1)から第１端子群１６１側、つまり−Ｙ方向へ延在する第４部分１６４ａと、第４部分１６４ａから第４部分１６４ａと交差する−Ｘ方向へ延在する第５部分１６４ｂと、第５部分１６４ｂから−Ｙ方向にデータ線選択回路１５０側へ延在する第６部分１６４ｃとを有している。第６部分１６４ｃもまた第３部分１６３ｃと同様に、表示領域１１０側へ延在していると言える。
【００６１】
以降、説明の都合上、端子１６１(1)の符号をｔ１１とし、端子１６１(1)に対して＋Ｘ方向に隣り合う他の端子１６１(2)の符号をｔ１２とする。同様に、端子１６２(1)の符号をｔ２１とし、端子１６２(1)に対して＋Ｘ方向に隣り合う他の端子１６２(2)の符号をｔ２２とする。
【００６２】
図７に示すように、第１映像信号線１６３の第１部分１６３ａの長さは、端子ｔ１２との接続点Ａから第２部分１６３ｂとの接続点Ｂまでである。第１映像信号線１６３の第２部分１６３ｂの長さは、第１部分１６３ａとの接続点Ｂから第３部分１６３ｃとの接続点Ｃまでである。第１映像信号線１６３の第３部分１６３ｃの長さは、第２部分１６３ｂとの接続点Ｃから中間点Ｄまでである。Ｙ方向における第１映像信号線１６３の中間点Ｄの位置は、端子ｔ１２の−Ｙ方向側の端部の位置と同じである。このような第１映像信号線１６３の長さに関する定義は、端子ｔ１２に隣り合う端子ｔ１１に対しても同じである。
【００６３】
図７に示すように、第２映像信号線１６４の第４部分１６４ａの長さは、端子ｔ２２との接続点Ｅから第５部分１６４ｂとの接続点Ｆまでである。第２映像信号線１６４の第５部分１６４ｂの長さは、第４部分１６４ａとの接続点Ｆから第６部分１６４ｃとの接続点Ｇまでである。第２映像信号線１６４の第６部分１６４ｃの長さは、第５部分１６４ｂとの接続点Ｇから中間点Ｈまでである。Ｙ方向における第２映像信号線１６４の中間点Ｈの位置は、隣り合う第１映像信号線１６３の中間点Ｄの位置と同じである。このような第２映像信号線１６４の長さに関する定義は、端子ｔ２２に隣り合う端子ｔ２１に対しても同じである。
【００６４】
Ｙ方向における端子ｔ１１と端子ｔ２１との間の距離を２分割する仮想のセンターラインＣＬ１を設けると、接続点ＡとセンターラインＣＬ１との間の距離Ｄ１は、接続点ＥとセンターラインＣＬ１との間の距離Ｄ２と同じである。実施例１では、第１映像信号線１６３の第１部分１６３ａの長さと、第２映像信号線１６４の第４部分１６４ａの長さとは同じである。第１映像信号線１６３の第２部分１６３ｂと第２映像信号線１６４の第５部分１６４ｂとは、センターラインＣＬ１を挟んで並行して配置されているが、第２部分１６３ｂの長さは第５部分１６４ｂの長さよりもわずかに短い。第１映像信号線１６３の第３部分１６３ｃと第２映像信号線１６４の第６部分１６４ｃとは、Ｘ方向に隣り合ってＹ方向へ延在しているが、第３部分１６３ｃの長さは第６部分１６４ｃの長さよりもわずかに短い。
【００６５】
なお、第１映像信号線１６３のうち中間点Ｄからデータ線選択回路１５０に向かう部分は単純な直線でなく斜め配線であってもよい。第１端子群１６１の端子ピッチＰ１とデータ線選択回路１５０を構成するデマルチプレクサー１５１の配置ピッチとは異なることが一般的であり、第１端子群１６１の第１端子とデマルチプレクサー１５１とを電気的に接続するために上記のような斜め配線の束線が使用される。同様に、第２映像信号線１６４のうち中間点Ｈからデータ線選択回路１５０に向かう束線は単純な直線でなく、第１映像信号線１６３に沿った斜め配線であってもよい。
【００６６】
この場合、上記斜め配線の配線長は、データ線選択回路１５０のＸ方向における左側部、中央部、右側部で異なることになる。上記斜め配線の配線長は隣り合う映像信号線間で滑らかに微小変化するので表示上の不具合は見え難い。本願は、図６に示したように、端子部１０５において隣り合う映像信号線間で配線長の差がアライメントマークＡＬ１とアライメントマークＡＬ３との中心間距離Ｌ６に相当する２１００μｍも生じることによる表示の不具合を解決するものである。
【００６７】
第１映像信号線１６３の線幅と第２映像信号線１６４の線幅とは同一であって、例えば、５μｍである。図６において端子間スペースＳを１６μｍとした例と合わせて考えれば、端子ｔ１２と第１映像信号線１６３の第３部分１６３ｃとの間隙、第１映像信号線１６３の第３部分１６３ｃと第２映像信号線１６４の第６部分１６４ｃとの間隙、第２映像信号線１６４の第６部分１６４ｃと端子ｔ１１との間隙のそれぞれを２μｍとすることができる。素子基板１０１において、第１映像信号線１６３と第２映像信号線１６４とは、同一の配線材料を用い、同一の配線層に形成されている。したがって、データ線選択回路１５０のデマルチプレクサー１５１から端子ｔ１１と端子ｔ２１とにそれぞれ最短で接続するように映像信号線を配置する場合に比べて、実施例１の第１映像信号線１６３と第２映像信号線１６４とは、電気的にほぼ同じ抵抗となる。また、第２部分１６３ｂと第５部分１６４ｂとはＸ方向に沿って並行しており、データ線選択回路１５０側へ延在する第３部分１６３ｃと第６部分１６４ｃとは端子ｔ１１の−Ｘ方向側の長辺に沿って並行している。したがって、第２部分１６３ｂと第５部分１６４ｂとの間、及び第３部分１６３ｃと第６部分１６４ｃとの間に生ずる寄生容量を含む第１映像信号線１６３の配線容量は、同じく上記の寄生容量を含む第２映像信号線１６４の配線容量とほぼ同じになる。つまり、第１映像信号線１６３と第２映像信号線１６４とは電気的な性質がほぼ同じになっている。なお、実施例１では、第１映像信号線１６３の第１部分１６３ａに対して−Ｘ方向へ延在するように第２部分１６３ｂを配置し、同じく第２映像信号線１６４の第４部分１６４ａに対して−Ｘ方向へ延在するように第５部分１６４ｂを配置したが、これに限定されない。第１部分１６３ａに対して＋Ｘ方向へ延在するように第２部分１６３ｂを配置し、第４部分１６４ａに対して同じく＋Ｘ方向へ延在するように第５部分１６４ｂを配置してもよい。
【００６８】
また、第１映像信号線１６３の第２部分１６３ｂの長さと第２映像信号線１６４の第５部分１６４ｂの長さとの差異、及び第１映像信号線１６３の第３部分１６３ｃの長さと第２映像信号線１６４の第６部分１６４ｃの長さとの差異による抵抗値の差を補正するために、接続点Ｂ，Ｃ，Ｆ，Ｇを仮想のセンターラインＣＬ１より端子ｔ２２側に寄せて配置してもよい。例えば接続点Ｂ，Ｃ，Ｆ，Ｇを仮想のセンターラインＣＬ１より端子ｔ２２側に５μｍオフセットさせると、第１映像信号線１６３について接続点Ａから中間点Ｄまでの経路長は１０μｍ延長される。一方で第２映像信号線１６４について接続点Ｅから中間点Ｈまでの経路長は変わらない。これは第１映像信号線１６３に第１部分１６３ａを設けた構成による効果の１つである。このようにすると第１映像信号線１６３と第２映像信号線１６４とは、抵抗値について同一性が高まるのでさらに好ましい形態となる。
【００６９】
１−４−２．実施例２
図８に示すように、実施例２では、第１端子群１６１の端子ｔ１１に第１映像信号線１６５が電気的に接続されている。また、第２端子群１６２の端子ｔ２１に第２映像信号線１６６が電気的に接続されている。同様に、第１端子群１６１の端子ｔ１２に第１映像信号線１６５が電気的に接続されている。また、第２端子群１６２の端子ｔ２２に第２映像信号線１６６が電気的に接続されている。
【００７０】
第１映像信号線１６５は、端子ｔ１１から第２端子群１６２側、つまり＋Ｙ方向へ延在する第１部分１６５ａと、第１部分１６５ａから第１部分１６５ａに対して斜め４５度の方向に交差して延在する第２部分１６５ｂと、第２部分１６５ｂから−Ｙ方向にデータ線選択回路１５０側へ延在する第３部分１６５ｃとを有している。第３部分１６５ｃは、端子ｔ１１の＋Ｘ方向側の長辺に沿って−Ｙ方向へ延在している。
【００７１】
第２映像信号線１６６は、端子ｔ２１から第１端子群１６１側、つまり−Ｙ方向へ延在する第４部分１６６ａと、第４部分１６６ａから第４部分１６６ａに対して斜め４５度の方向に交差し、第１映像信号線１６５の第２部分１６５ｂと並行して延在する第５部分１６６ｂと、第５部分１６６ｂから−Ｙ方向にデータ線選択回路１５０側へ延在する第６部分１６６ｃとを有している。第６部分１６６ｃは、端子ｔ１１の−Ｘ方向側の長辺に沿って−Ｙ方向へ延在している。実施例２では、Ｘ方向に隣り合う端子ｔ１１と端子ｔ１２との間において、第１映像信号線１６５の第３部分１６５ｃと第２映像信号線１６６の第６部分１６６ｃとが並行して−Ｙ方向へ延在している。
【００７２】
図８に示すように、第１映像信号線１６５の第１部分１６５ａの長さは、端子ｔ１２との接続点Ａから第２部分１６５ｂとの接続点Ｂまでである。第１映像信号線１６５の第２部分１６５ｂの長さは、第１部分１６５ａとの接続点Ｂから第３部分１６５ｃとの接続点Ｃまでである。実施例２における接続点Ｃは仮想のセンターラインＣＬ１上に位置している。第１映像信号線１６５の第３部分１６５ｃの長さは、第２部分１６５ｂとの接続点Ｃから中間点Ｄまでである。この場合、Ｙ方向における第１映像信号線１６５の中間点Ｄの位置は、端子ｔ１２の−Ｙ方向側の端部の位置と同じである。このような実施例２の第１映像信号線１６５の長さに関する定義は、端子ｔ１２に隣り合う端子ｔ１１に対しても同じである。
【００７３】
図８に示すように、Ｙ方向における端子ｔ１１と端子ｔ２１との間の距離を２分割する仮想のセンターラインＣＬ１を設けると、接続点ＡとセンターラインＣＬ１との間の距離Ｄ１は、接続点ＥとセンターラインＣＬ１との間の距離Ｄ２と同じである。第２映像信号線１６６の第４部分１６６ａの長さは、端子ｔ２２との接続点Ｅから第５部分１６６ｂとの接続点Ｆまでである。第２映像信号線１６６の第５部分１６６ｂの長さは、第４部分１６６ａとの接続点Ｆから第６部分１６６ｃとの接続点Ｇまでである。実施例２の接続点Ｇは仮想のセンターラインＣＬ１上に位置している。第２映像信号線１６６の第６部分１６６ｃの長さは、第５部分１６６ｂとの接続点Ｇから中間点Ｈまでである。この場合、Ｙ方向における第２映像信号線１６６の中間点Ｈの位置は、隣り合う端子ｔ１２の−Ｙ方向側の端部の位置と同じである。このような実施例２の第２映像信号線１６６の長さに関する定義は、端子ｔ２２に隣り合う端子ｔ２１に対しても同じである。
【００７４】
実施例２では、第１映像信号線１６５の第１部分１６５ａの長さと、第２映像信号線１６６の第４部分１６６ａの長さとは同じである。また、第１映像信号線１６５の第２部分１６５ｂの長さと第２映像信号線１６６の第５部分１６６ｂの長さとは同じである。さらに、第１映像信号線１６５の第３部分１６５ｃの長さと第２映像信号線１６６の第６部分１６６ｃの長さとは同じである。つまり、第１映像信号線１６５の長さと第２映像信号線１６６の長さとは同じである。
【００７５】
なお、第１映像信号線１６５のうち中間点Ｄからデータ線選択回路１５０に向かう束線は単純な直線でなく斜め配線であってもよい。同様に、第２映像信号線１６６のうち中間点Ｈからデータ線選択回路１５０に向かう束線は単純な直線でなく、第１映像信号線１６５に沿った斜め配線であってもよい。
【００７６】
第１映像信号線１６５の線幅と第２映像信号線１６６の線幅とは同一であって、例えば、５μｍである。素子基板１０１において、第１映像信号線１６５と第２映像信号線１６６とは、同一の配線材料を用い、同一の配線層に形成されている。したがって、実施例２の第１映像信号線１６５と第２映像信号線１６６とは、電気的に同じ抵抗となる。また、第２部分１６５ｂと第５部分１６６ｂとはＸ方向に対して斜め４５度に傾斜して並行しており、データ線選択回路１５０側へ延在する第３部分１６５ｃと第６部分１６６ｃとは端子ｔ１１の長辺に沿って並行している。したがって、第２部分１６５ｂと第５部分１６６ｂとの間、及び第３部分１６５ｃと第６部分１６６ｃとの間に生ずる寄生容量を含む第１映像信号線１６５の配線容量は、同じく上記の寄生容量を含む第２映像信号線１６６の配線容量とほぼ同じになる。つまり、第１映像信号線１６５と第２映像信号線１６６とは電気的な性質がほぼ同じになっている。なお、第２部分１６５ｂ及び第５部分１６６ｂの傾斜角度は４５度に限定されない。
【００７７】
１−４−３．実施例３
図９に示すように、実施例３では、第１端子群１６１の端子ｔ１１に第１映像信号線１６５Ｅが電気的に接続されている。また、第２端子群１６２の端子ｔ２１に第２映像信号線１６６Ｅが電気的に接続されている。同様に、第１端子群１６１の端子ｔ１２に第１映像信号線１６５Ｅが電気的に接続されている。また、第２端子群１６２の端子ｔ２２に第２映像信号線１６６Ｅが電気的に接続されている。実施例３は実施例２の変形例であり、実施例２と同じ構成には同じ符号を付して説明する。
【００７８】
第１映像信号線１６５Ｅは、端子ｔ１１から第２端子群１６２側、つまり＋Ｙ方向へ延在する第１部分１６５ａと、第１部分１６５ａから第１部分１６５ａに対して斜め４５度の方向に交差して延在する第２部分１６５ｂと、第２部分１６５ｂから−Ｙ方向にデータ線選択回路１５０側へ延在する第３部分１６５ｃと、第３部分１６５ｃからデータ線選択回路１５０と反対側の＋Ｙ方向へ延在する第１延在部１６５ｄとを有している。第３部分１６５ｃは、端子ｔ１１の＋Ｘ方向側の長辺に沿って−Ｙ方向へ延在し、第１延在部１６５ｄは、端子ｔ２１の＋Ｘ方向側の長辺に沿って＋Ｙ方向へ延在している。
【００７９】
第２映像信号線１６６Ｅは、端子ｔ２１から第１端子群１６１側、つまり−Ｙ方向へ延在する第４部分１６６ａと、第４部分１６６ａから第４部分１６６ａに対して斜め４５度の方向に交差し、第１映像信号線１６５Ｅの第２部分１６５ｂと並行して延在する第５部分１６６ｂと、第５部分１６６ｂから−Ｙ方向にデータ線選択回路１５０側へ延在する第６部分１６６ｃと、第６部分１６６ｃからデータ線選択回路１５０と反対側の＋Ｙ方向へ延在する第２延在部１６６ｄとを有している。第６部分１６６ｃは、端子ｔ１１の−Ｘ方向側の長辺に沿って−Ｙ方向へ延在し、第２延在部１６６ｄは、端子ｔ２１の−Ｘ方向側の長辺に沿って＋Ｙ方向へ延在している。実施例３では、Ｘ方向に隣り合う端子ｔ１１と端子ｔ１２との間において、第１映像信号線１６５Ｅの第３部分１６５ｃと、第２映像信号線１６６Ｅの第６部分１６６ｃとが並行して延在している。また、Ｘ方向に隣り合う端子ｔ２１と端子ｔ２２との間において、第１映像信号線１６５Ｅの第１延在部１６５ｄと、第２映像信号線１６６Ｅの第２延在部１６６ｄとが並行して延在している。
【００８０】
図９に示すように、第１映像信号線１６５Ｅの第１部分１６５ａの長さは、端子ｔ１２との接続点Ａから第２部分１６５ｂとの接続点Ｂまでである。第１映像信号線１６５Ｅの第２部分１６５ｂの長さは、第１部分１６５ａとの接続点Ｂから第３部分１６５ｃとの接続点Ｃまでである。実施例３における接続点Ｃは仮想のセンターラインＣＬ１上に位置している。第１映像信号線１６５Ｅの第３部分１６５ｃの長さは、第２部分１６５ｂとの接続点Ｃから中間点Ｄまでである。この場合、Ｙ方向における第１映像信号線１６５の中間点Ｄの位置は、端子ｔ１２の−Ｙ方向側の端部の位置と同じである。第１映像信号線１６５Ｅの第１延在部１６５ｄの長さは、第３部分１６５ｃとの接続点Ｃからデータ線選択回路１５０と反対側の端部Ｊまでである。＋Ｙ方向における端部Ｊの位置は、＋Ｙ方向における端子ｔ２２の端部の位置と同じである。言い換えれば、端部Ｊと端子部１０５の一辺１０５ａとの間の距離は、図６に示したように、距離Ｌ４であり、例えば１５０μｍである。このような実施例３の第１映像信号線１６５Ｅの長さに関する定義は、端子ｔ１２に隣り合う端子ｔ１１に対しても同じである。
【００８１】
図９に示すように、第２映像信号線１６６Ｅの第４部分１６６ａの長さは、端子ｔ２２との接続点Ｅから第５部分１６６ｂとの接続点Ｆまでである。第２映像信号線１６６Ｅの第５部分１６６ｂの長さは、第４部分１６６ａとの接続点Ｆから第６部分１６６ｃとの接続点Ｇまでである。実施例３の接続点Ｇは仮想のセンターラインＣＬ１上に位置している。第２映像信号線１６６Ｅの第６部分１６６ｃの長さは、第５部分１６６ｂとの接続点Ｇから中間点Ｈまでである。この場合、Ｙ方向における第２映像信号線１６６Ｅの中間点Ｈの位置は、隣り合う端子ｔ１２の−Ｙ方向側の端部の位置と同じである。第２映像信号線１６６Ｅの第２延在部１６６ｄの長さは、第６部分１６６ｃとの接続点Ｇからデータ線選択回路１５０と反対側の端部Ｋまでである。＋Ｙ方向における端部Ｋの位置は、＋Ｙ方向における端子ｔ２２の端部の位置と同じである。言い換えれば、端部Ｋと端子部１０５の一辺１０５ａとの間の距離は、図６に示したように、距離Ｌ４であり、例えば１５０μｍである。このような実施例３の第２映像信号線１６６Ｅの長さに関する定義は、端子ｔ２２に隣り合う端子ｔ２１に対しても同じである。
【００８２】
なお、第１延在部１６５ｄの端部Ｊ及び第２延在部１６６ｄの端部Ｋは、端子部１０５の一辺１０５ａに到達してもよく、図示しない検査信号線や、静電破壊抑制のためのガードリングに接続する構成であってもよい。
【００８３】
実施例３では、第１映像信号線１６５Ｅの第１部分１６５ａの長さと、第２映像信号線１６６Ｅの第４部分１６６ａの長さとは同じである。また、第１映像信号線１６５Ｅの第２部分１６５ｂの長さと第２映像信号線１６６Ｅの第５部分１６６ｂの長さとは同じである。さらに、第１映像信号線１６５Ｅの第３部分１６５ｃ及び第１延在部１６５ｄの長さと第２映像信号線１６６Ｅの第６部分１６６ｃ及び第２延在部１６６ｄの長さとは同じである。
【００８４】
第１映像信号線１６５Ｅの線幅と第２映像信号線１６６Ｅの線幅とは同一であって、例えば、５μｍである。素子基板１０１において、第１映像信号線１６５Ｅと第２映像信号線１６６Ｅとは、同一の配線材料を用い、同一の配線層に形成されている。したがって、実施例３の第１映像信号線１６５Ｅと第２映像信号線１６６Ｅとは、電気的に同じ抵抗となる。また、実施例３は、実施例２に対して第１延在部１６５ｄと第２延在部１６６ｄとを加えた構成となっている。そのため、実施例２では第２映像信号線１６６の第４部分１６６ａに対してＸ方向に隣り合う配線が存在していなかったのに対して、実施例３では第４部分１６６ａに対して＋Ｘ方向側に第１延在部１６５ｄが隣り合って配置され、−Ｘ方向側に第２延在部１６６ｄが隣り合って配置されている。それゆえに、実施例２の第１映像信号線１６５及び第２映像信号線１６６に対して、実施例３の第１映像信号線１６５Ｅ及び第２映像信号線１６６Ｅのほうが、配線容量を同じにする点において優れている。つまり、実施例３は実施例２に比べて、第１端子群１６１のデータ線選択回路１５０側の端部から第２端子群１６２の端子部１０５の一辺１０５ａ側の端部までの領域において、第１映像信号線１６５Ｅと第２映像信号線１６６Ｅとにおける電気的な性質を同じにすることができる。すなわち、端子部１０５において第１端子群１６１と第２端子群１６２とがＹ方向に隔離して配置された構成をとりながらも、同等の電気的性質を有する映像信号線の引き出しを実現している。
【００８５】
１−４−４．実施例４
図１０に示すように、実施例４では、第１端子群１６１の端子ｔ１１に第１映像信号線１６７が電気的に接続されている。また、第２端子群１６２の端子ｔ２１に第２映像信号線１６８が電気的に接続されている。同様に、第１端子群１６１の端子ｔ１２に第１映像信号線１６７が電気的に接続されている。また、第２端子群１６２の端子ｔ２２に第２映像信号線１６８が電気的に接続されている。実施例４は実施例３の変形例である。
【００８６】
第１映像信号線１６７は、端子ｔ１１から第２端子群１６２側、つまり＋Ｙ方向へ延在する第１部分１６７ａと、第１部分１６７ａから第１部分１６７ａと交差し＋Ｘ方向へ延在する第２部分１６７ｂと、第２部分１６７ｂから−Ｙ方向にデータ線選択回路１５０側へ延在する第３部分１６７ｃと、第３部分１６７ｃからデータ線選択回路１５０と反対側の＋Ｙ方向へ延在する第１延在部１６７ｄとを有している。第３部分１６７ｃは、端子ｔ１１の＋Ｘ方向側の長辺に沿って−Ｙ方向へ延在し、第１延在部１６７ｄは、端子ｔ２１の＋Ｘ方向側の長辺に沿って＋Ｙ方向へ延在している。
【００８７】
第２映像信号線１６８は、端子ｔ２１から第１端子群１６１側、つまり−Ｙ方向へ延在する第４部分１６８ａと、第４部分１６８ａから第４部分１６８ａに交差し、第１映像信号線１６７の第２部分１６７ｂと反対方向の−Ｘ方向へ延在する第５部分１６８ｂと、第５部分１６８ｂから−Ｙ方向にデータ線選択回路１５０側へ延在する第６部分１６８ｃと、第６部分１６８ｃからデータ線選択回路１５０と反対側の＋Ｙ方向へ延在する第２延在部１６８ｄとを有している。第６部分１６８ｃは、端子ｔ１１の−Ｘ方向側の長辺に沿って−Ｙ方向へ延在し、第２延在部１６８ｄは、端子ｔ２１の−Ｘ方向側の長辺に沿って＋Ｙ方向へ延在している。Ｘ方向に隣り合う端子ｔ１１と端子ｔ１２との間において、第１映像信号線１６７の第３部分１６７ｃと、第２映像信号線１６８の第６部分１６８ｃとが並行して延在している。また、Ｘ方向に隣り合う端子ｔ２１と端子ｔ２２との間において、第１映像信号線１６７の第１延在部１６７ｄと、第２映像信号線１６８の第２延在部１６８ｄとが並行して延在している。
【００８８】
図１０に示すように、Ｙ方向における端子ｔ１１と端子ｔ２１との間の距離を２分割する仮想のセンターラインＣＬ１を設けると、接続点ＡとセンターラインＣＬ１との間の距離Ｄ１は、接続点ＥとセンターラインＣＬ１との間の距離Ｄ２と同じである。第１映像信号線１６７の第１部分１６７ａの長さは、端子ｔ１２との接続点Ａから第２部分１６７ｂとの接続点Ｂまでである。第１映像信号線１６７の第２部分１６７ｂの長さは、第１部分１６７ａとの接続点Ｂから第３部分１６７ｃとの接続点Ｃまでである。実施例４における接続点Ｂ及び接続点Ｃは仮想のセンターラインＣＬ１上に位置している。第１映像信号線１６７の第３部分１６７ｃの長さは、第２部分１６７ｂとの接続点Ｃから中間点Ｄまでである。この場合、Ｙ方向における第１映像信号線１６７の中間点Ｄの位置は、端子ｔ１２の−Ｙ方向側の端部の位置と同じである。第１映像信号線１６７の第１延在部１６７ｄの長さは、第３部分１６７ｃとの接続点Ｃから表示領域１１０と反対側の端部Ｊまでである。＋Ｙ方向における端部Ｊの位置は、＋Ｙ方向における端子ｔ２２の端部の位置と同じである。このような実施例４の第１映像信号線１６７の長さに関する定義は、端子ｔ１１に対しても同じである。
【００８９】
図１０に示すように、第２映像信号線１６８の第４部分１６８ａの長さは、端子ｔ２２との接続点Ｅから第５部分１６８ｂとの接続点Ｆまでである。第２映像信号線１６８の第５部分１６８ｂの長さは、第４部分１６８ａとの接続点Ｆから第６部分１６８ｃとの接続点Ｇまでである。実施例４の接続点Ｆ及び接続点Ｇは仮想のセンターラインＣＬ１上に位置している。第２映像信号線１６８の第６部分１６８ｃの長さは、第５部分１６８ｂとの接続点Ｇから中間点Ｈまでである。第２映像信号線１６８の第２延在部１６８ｄの長さは、第６部分１６８ｃとの接続点Ｇからデータ線選択回路１５０と反対側の端部Ｋまでである。＋Ｙ方向における端部Ｋの位置は、＋Ｙ方向における端子ｔ２２の端部の位置と同じである。このような実施例４の第２映像信号線１６８の長さに関する定義は、端子ｔ２１に対しても同じである。
【００９０】
図１０に示すように、実施例４では、第１映像信号線１６７の第１部分１６７ａの長さは距離Ｄ１であり、第２映像信号線１６８の第４部分１６８ａの長さは距離Ｄ２であって、Ｄ１＝Ｄ２であることから双方の長さは同じである。また、第１映像信号線１６７の第２部分１６７ｂの長さと第２映像信号線１６８の第５部分１６８ｂの長さとは同じである。さらに、第１映像信号線１６７の第３部分１６７ｃ及び第１延在部１６７ｄの長さと第２映像信号線１６８の第６部分１６８ｃ及び第２延在部１６８ｄの長さとは同じである。つまり、第１映像信号線１６７の長さと第２映像信号線１６８の長さとは同じである。
【００９１】
なお、第１映像信号線１６７のうち中間点Ｄからデータ線選択回路１５０に向かう束線は単純な直線でなく斜め配線であってもよい。同様に、第２映像信号線１６８のうち中間点Ｈからデータ線選択回路１５０に向かう束線は単純な直線でなく、第１映像信号線１６７に沿った斜め配線であってもよい。
【００９２】
また、第１延在部１６７ｄの端部Ｊ及び第２延在部１６８ｄの端部Ｋは、端子部１０５の一辺１０５ａに到達してもよく、図示しない検査信号線や、静電破壊抑制のためのガードリングに接続する構成であってもよい。
【００９３】
第１映像信号線１６７の線幅と第２映像信号線１６８の線幅とは同一であって、例えば、５μｍである。素子基板１０１において、第１映像信号線１６７と第２映像信号線１６８とは、同一の配線材料を用い、同一の配線層に形成されている。したがって、実施例４の第１映像信号線１６７と第２映像信号線１６８とは、電気的に同じ抵抗となる。また、実施例４は実施例３と同様に第１延在部１６７ｄ及び第２延在部１６８ｄを有していることから、第１映像信号線１６７の配線容量と第２映像信号線１６８の配線容量とを同じにすることができる。加えて、実施例４では、第１映像信号線１６７の第２部分１６７ｂと第２映像信号線１６８の第５部分１６８ｂとは、仮想のセンターラインＣＬ１上において直線的に配置されていることから、実施例３に比べて、第２部分１６７ｂと第５部分１６８ｂとの間の寄生容量が小さくなるため、第１映像信号線１６７及び第２映像信号線１６８の配線容量を小さくすることができる。また、実施例３に比べて、第１映像信号線１６７の第１部分１６７ａと第２映像信号線１６８の第６部分１６８ｃとの間隔が大きくなったので、この領域の寄生容量も小さくなる。一方で第１映像信号線１６７の第１部分１６７ａと第３部分１６７ｃとの間隔が狭まっているが、同じノード（第１映像信号線１６７）であるため寄生容量は問題にならない。
【００９４】
上記の実施例１〜実施例４のうち、実施例２〜実施例４では、第１端子群１６１のうち＋Ｘ方向側の端に位置する端子１６１(n)に電気的に接続される第１映像信号線の第３部分には隣り合う映像信号線が存在しない。また、第２端子群１６２のうち−Ｘ方向側の端に位置する端子１６２(1)に電気的に接続される第２映像信号線の第６部分には隣り合う映像信号線が存在しない。そうするとＸ方向に第１端子群１６１及び第２端子群１６２を挟んで両端側に位置する映像信号線における配線容量が、他の映像信号線の配線容量と異なることになる。そのような場合、当該両端側に位置する映像信号線が電気的に接続される画素を表示に寄与しないダミー画素とすれば、映像信号線の配線容量の違いに起因する表示ムラを視認されないようにすることが可能である。
【００９５】
上記第１実施形態の液晶装置１によれば、以下の効果が得られる。
（１）素子基板１０１の端子部１０５において、データ線選択回路１５０側に配置される第１端子群１６１の第１端子に電気的に接続される第１映像信号線は、第１端子群１６１よりもデータ線選択回路１５０から遠い位置に配置される第２端子群１６２側へ延在する第１部分を含んで構成される。また、第２端子群１６２の第２端子に電気的に接続される第２映像信号線は、第１端子群１６１側へ延在する第４部分を含んで構成される。第１部分及び第４部分は、並列する第１端子群１６１と第２端子群１６２との間に配置され、線幅と長さとが同じである。したがって、第１端子群１６１の第１端子のデータ線選択回路１５０側に向いた短辺に第１映像信号線を接続し、第２端子群１６２の第２端子のデータ線選択回路１５０側に向いた短辺に第２映像信号線を配置する場合に比べて、第１映像信号線及び第２映像信号線における電気的な性質をほぼ同じとすることができる。ゆえに、第１映像信号線と第２映像信号線との電気的な性質が異なることに起因する表示ムラが改善された電気光学装置としての液晶装置１を提供することができる。また、第１映像信号線と第２映像信号線とは、同じ線幅で、同一の配線層に形成されることから、設計上の負荷を軽減することができる。
【００９６】
（２）第１映像信号線のうち第１部分に対して交差する第２部分と、第２映像信号線のうち第４部分に対して交差する第５部分とを、実施例２及び実施例３のようにＸ方向に対して傾斜させ対向するように配置する、あるいは実施例４のようにＸ方向へ延在する仮想のセンターラインＣＬ１上に直線的に配置することが好ましい。これによって、第２部分の長さと第５部分の長さとを同じにし、さらに第３部分の長さと第６部分の長さとを同じにすることができる。ゆえに、第１映像信号線の電気抵抗と第２映像信号線の電気抵抗とが同じになるため、第１映像信号線と第２映像信号線との電気抵抗の違いに起因する表示ムラをさらに改善することができる。
【００９７】
（３）第１端子群１６１の第１端子と第１端子に隣り合う他の端子との間において、第１映像信号線のうちデータ線選択回路１５０側へ延在する第３部分と、第２映像信号線のうち同じくデータ線選択回路１５０側へ延在する第６部分とは、第１端子の長辺に沿って並行して配置されている。したがって、隣り合う配線部分に生ずる寄生容量を含む第１映像信号線と第２映像信号線との配線容量をほぼ同じにすることができる。これによって、第１映像信号線と第２映像信号線との配線容量（配線時定数）の違いに起因する表示ムラを改善することができる。
【００９８】
（４）第１映像信号線の第３部分にデータ線選択回路１５０と反対側へ延在する第１延在部を設け、同じく第２映像信号線の第６部分にデータ線選択回路１５０と反対側へ延在する第２延在部を設けることにより、隣り合う配線部分に生ずる寄生容量を含む第１映像信号線と第２映像信号線との配線容量を同じにすることができる。これによって、第１映像信号線と第２映像信号線との配線容量（配線時定数）の違いに起因する表示ムラをさらに改善することができる。
【００９９】
２．第２実施形態
２−１．電気光学装置
第２実施形態の電気光学装置として、上記第１実施形態と同様に液晶装置を例に挙げて説明する。第２実施形態の電気光学装置としての液晶装置は、上記第１実施形態の液晶装置１の素子基板１０１において、映像信号線に静電気保護回路を設けたものである。したがって、上記第１実施形態の液晶装置１と同じ構成には同じ符号を付して詳細な説明は省略する。また、映像信号線及び静電気保護回路を含む構成について、具体的な実施例５及び実施例６を挙げ、図１１〜図１７を参照して説明する。
【０１００】
２−１−５．実施例５
図１１は第２実施形態の実施例５の映像信号線及び静電気保護回路の配置を示す概略平面図、図１２は静電気保護回路の電気的な構成例を示す回路図、図１３は実施例５の静電気保護回路のトランジスターの配置を示す概略平面図、図１４は端子の配線構造を示す概略断面図、図１５は静電気保護回路のトランジスターに係る配線構造を示す概略断面図である。実施例５は、上記第１実施形態において示した実施例３の映像信号線に対して静電気保護回路を設けたものである。したがって、実施例３と同じ構成には同じ符号を付して詳細な説明は省略する。
【０１０１】
図１１に示すように、実施例５では、第１端子群１６１の第１端子としての端子ｔ１１に第１映像信号線１６５Ｅが電気的に接続されている。また、第２端子群１６２の第２端子としての端子ｔ２１に第２映像信号線１６６Ｅが電気的に接続されている。同様に、第１端子群１６１の第１端子としての端子ｔ１２に第１映像信号線１６５Ｅが電気的に接続されている。また、第２端子群１６２の第２端子としての端子ｔ２２に第２映像信号線１６６Ｅが電気的に接続されている。
【０１０２】
第１映像信号線１６５Ｅは、端子ｔ１１から第２端子群１６２側、つまり＋Ｙ方向へ延在する第１部分１６５ａと、第１部分１６５ａから第１部分１６５ａに対して斜め４５度の方向に交差して延在する第２部分１６５ｂと、第２部分１６５ｂから−Ｙ方向にデータ線選択回路１５０側へ延在する第３部分１６５ｃと、第３部分１６５ｃからデータ線選択回路１５０と反対側の＋Ｙ方向へ延在する第１延在部１６５ｄとを有している。第３部分１６５ｃは、端子ｔ１１の＋Ｘ方向側の長辺に沿って−Ｙ方向へ延在し、第１延在部１６５ｄは、端子ｔ２１の＋Ｘ方向側の長辺に沿って＋Ｙ方向へ延在している。
【０１０３】
第２映像信号線１６６Ｅは、端子ｔ２１から第１端子群１６１側、つまり−Ｙ方向へ延在する第４部分１６６ａと、第４部分１６６ａから第４部分１６６ａに対して斜め４５度の方向に交差し、第１映像信号線１６５Ｅの第２部分１６５ｂと並行して延在する第５部分１６６ｂと、第５部分１６６ｂから−Ｙ方向にデータ線選択回路１５０側へ延在する第６部分１６６ｃと、第６部分１６６ｃからデータ線選択回路１５０と反対側の＋Ｙ方向へ延在する第２延在部１６６ｄとを有している。第６部分１６６ｃは、端子ｔ１１の−Ｘ方向側の長辺に沿って−Ｙ方向へ延在し、第２延在部１６６ｄは、端子ｔ２１の−Ｘ方向側の長辺に沿って＋Ｙ方向へ延在している。Ｘ方向に隣り合う端子ｔ１１と端子ｔ１２との間において、第１映像信号線１６５Ｅの第３部分１６５ｃと、第２映像信号線１６６Ｅの第６部分１６６ｃとが並行して延在している。また、Ｘ方向に隣り合う端子ｔ２１と端子ｔ２２との間において、第１映像信号線１６５Ｅの第１延在部１６５ｄと、第２映像信号線１６６Ｅの第２延在部１６６ｄとが並行して延在している。
【０１０４】
第１映像信号線１６５Ｅと第２映像信号線１６６Ｅとは同じ線幅で、同一配線層に形成されている。第１映像信号線１６５Ｅの第１部分１６５ａと第２映像信号線１６６Ｅの第４部分１６６ａとは同じ長さである。第１映像信号線１６５Ｅの第２部分１６５ｂと第２映像信号線１６６Ｅの第５部分１６６ｂとは同じ長さである。第１映像信号線１６５Ｅの第３部分１６５ｃと第２映像信号線１６６Ｅの第６部分１６６ｃとは同じ長さである。第１映像信号線１６５Ｅの第１延在部１６５ｄと第２映像信号線１６６Ｅの第２延在部１６６ｄとは同じ長さである。つまり、第１映像信号線１６５Ｅと第２映像信号線１６６Ｅとは同じ長さである。
【０１０５】
なお、第１映像信号線１６５Ｅのうち第３部分１６５ｃからデータ線選択回路１５０に向かう束線は単純な直線でなく斜め配線であってもよい。同様に、第２映像信号線１６６Ｅのうち第６部分１６６ｃからデータ線選択回路１５０に向かう束線は単純な直線でなく、第１映像信号線１６５Ｅに沿った斜め配線であってもよい。
【０１０６】
また、第１映像信号線１６５Ｅの第１延在部１６５ｄ及び第２映像信号線１６６Ｅの第２延在部１６６ｄの＋Ｙ方向側の端部は、端子部１０５の一辺１０５ａに到達してもよく、図示しない検査信号線や、静電破壊抑制のためのガードリングに接続する構成であってもよい。
【０１０７】
図１１に示すように、各端子ｔ１１，ｔ１２，ｔ２１，ｔ２２に近接した破線で示す範囲に、第１映像信号線１６５Ｅの第１部分１６５ａに電気的に接続された第１静電気保護回路１８１が設けられている。同様に、第２映像信号線１６６Ｅの第４部分１６６ａに電気的に接続された第２静電気保護回路１８２が設けられている。第１静電気保護回路１８１と第２静電気保護回路１８２とは電気的に同じ構成となっていることから、それぞれを静電気保護回路１８０と呼ぶこともある。静電気保護回路１８０は、Ｙ方向において第１端子群１６１と第２端子群１６２との間に配置されている。第１映像信号線１６５Ｅ及び第２映像信号線１６６Ｅのそれぞれに静電気保護回路１８０が設けられていることから、第１端子群１６１の第１端子及び第２端子群１６２の第２端子のそれぞれに静電気が侵入しても、静電気によって第１映像信号線１６５Ｅ及び第２映像信号線１６６Ｅのそれぞれが損傷することが防止される。
【０１０８】
図１２に示すように、第１静電気保護回路１８１（静電気保護回路１８０）は、端子ｔ１１に電気的に接続された抵抗素子Ｒ１と、Ｐ型のトランジスター１８５と、Ｎ型のトランジスター１８６とを含んで構成されている。本実施形態において、Ｐ型のトランジスター１８５及びＮ型のトランジスター１８６は、いずれも素子基板１０１に設けられた薄膜トランジスター（ＴＦＴ）であって、以降、省略して、Ｐ−ＴＦＴ１８５、Ｎ−ＴＦＴ１８６と呼ぶこととする。なお、Ｐ型のトランジスター１８５及びＮ型のトランジスター１８６は、ＴＦＴであることに限定されない。
【０１０９】
抵抗素子Ｒ１は、端子ｔ１１と第１映像信号線１６５Ｅの第１部分１６５ａとの間に設けられている。Ｐ−ＴＦＴ１８５は、ＶＤＤが供給される電源配線１８３と、第１映像信号線１６５Ｅの第１部分１６５ａとの間に設けられている。Ｐ−ＴＦＴ１８５のゲート電極１８５ｇとソース電極１８５ｓとが電源配線１８３に電気的に接続されている。Ｐ−ＴＦＴ１８５のドレイン電極１８５ｄが第１映像信号線１６５Ｅの第１部分１６５ａに電気的に接続されている。
一方、Ｎ−ＴＦＴ１８６は、ＶＳＳ（ＧＮＤ）が供給される電源配線１８４と、第１映像信号線１６５Ｅの第１部分１６５ａとの間に設けられている。Ｎ−ＴＦＴ１８６のゲート電極１８６ｇとソース電極１８６ｓとが電源配線１８４に電気的に接続されている。Ｎ−ＴＦＴ１８６のドレイン電極１８６ｄが第１映像信号線１６５Ｅの第１部分１６５ａに電気的に接続されている。
【０１１０】
このような第１静電気保護回路１８１の構成によれば、ＶＳＳ（ＧＮＤ）の電位を基準としてＶＤＤよりも高い電位、つまり正電位の静電気が端子ｔ１１に侵入すると、抵抗素子Ｒ１によって減衰した後、Ｐ−ＴＦＴ１８５を介して電源配線１８３に接地される。また、ＶＳＳ（ＧＮＤ）よりも低い電位、つまり負電位の静電気が端子ｔ１１に侵入すると、抵抗素子Ｒ１によって減衰した後、Ｎ−ＴＦＴ１８６を介して電源配線１８４に接地される。つまり、端子ｔ１１に侵入した静電気は抵抗素子Ｒ１で減衰した後、電源配線１８３または電源配線１８４に導かれるため、静電気により第１映像信号線１６５Ｅが損傷することを防止することができる。また、静電気が第１映像信号線１６５Ｅを介して表示領域１１０の画素１１１（図５参照）に到達することはない。第２映像信号線１６６Ｅの第４部分１６６ａに電気的に接続される第２静電気保護回路１８２の電気的な構成も、第１静電気保護回路１８１の電気的な構成と同じである。
【０１１１】
図１３は、第１端子群１６１の端子ｔ１１に電気的に接続された第１静電気保護回路１８１と、第２端子群１６２の端子ｔ２１に電気的に接続された第２静電気保護回路１８２とにおける電気的な構成の配置を具体的に示す平面図である。なお、図示の関係上、実際にはＹ方向に長い矩形状の端子ｔ１１及び端子ｔ２１の形状を縮めて表示している。
【０１１２】
図１３に示すように、第１映像信号線１６５Ｅのうち第３部分１６５ｃ及び第１延在部１６５ｄと、第２映像信号線１６６Ｅのうち第６部分１６６ｃ及び第２延在部１６６ｄとは、Ｘ方向に間隔を置いて並行して配置されている。第３部分１６５ｃと第６部分１６６ｃとの間に、第１静電気保護回路１８１の抵抗素子Ｒ１と、Ｐ−ＴＦＴ１８５及びＮ−ＴＦＴ１８６とが配置されている。また、第１延在部１６５ｄと第２延在部１６６ｄとの間に第２静電気保護回路１８２の抵抗素子Ｒ１と、Ｐ−ＴＦＴ１８５及びＮ−ＴＦＴ１８６とが配置されている。抵抗素子Ｒ１は、平面的に配線を蛇行させることにより所定の電気抵抗を実現させたものである。抵抗素子Ｒ１の電気抵抗値は保護されるノードの容量値にもよるが０．５ｋΩ〜５ｋΩ程度であり、例えば２ｋΩである。第１静電気保護回路１８１では、蛇行させた配線の一方の端がコンタクト部ＣＮＴ１及びコンタクト部ＣＮＴ２を介して端子ｔ１１と電気的に接続されている。また、蛇行させた配線の他方の端がコンタクト部ＣＮＴ４を介して第１部分１６５ａに電気的に接続されている。第２静電気保護回路１８２では、蛇行させた配線の一方の端がコンタクト部ＣＮＴ１及びコンタクト部ＣＮＴ２を介して端子ｔ２１と電気的に接続されている。また、蛇行させた配線の他方の端がコンタクト部ＣＮＴ４を介して第４部分１６６ａに電気的に接続されている。なお、端子ｔ１１及び端子ｔ１２のそれぞれは、コンタクト部ＣＮＴ３を介して下層に位置する配線層と電気的に接続されている。
【０１１３】
Ｘ方向に所定の間隔を置いて配置された第３部分１６５ｃと第６部分１６６ｃとの間に、Ｙ方向へ延在する仮想のセンターラインＣＬ２を設けると、第１部分１６５ａと第４部分１６６ａとはセンターラインＣＬ２上に配置されている。第２部分１６５ｂは第１部分１６５ａに対して斜め４５度の方向に交差して延在し、接続点Ｃで第３部分１６５ｃと第１延在部１６５ｄとに電気的に接続されている。第５部分１６６ｂは第４部分１６６ａに対して斜め４５度の方向に交差して延在し、接続点Ｇで第６部分１６６ｃと第２延在部１６６ｄとに電気的に接続されている。接続点Ｃ及び接続点ＧはＸ方向へ延在する仮想のセンターラインＣＬ１上に配置されている。
【０１１４】
第１静電気保護回路１８１では、第３部分１６５ｃと第６部分１６６ｃとの間において、第６部分１６６ｃ側にＰ−ＴＦＴ１８５が配置され、第３部分１６５ｃ側にＮ−ＴＦＴ１８６が配置されている。電源配線１８３と電源配線１８４とは、Ｐ−ＴＦＴ１８５及びＮ−ＴＦＴ１８６を挟むようにＹ方向に所定の間隔においてＸ方向へ延在している。ＶＳＳ（ＧＮＤ）が供給される電源配線１８４が端子ｔ１１側に配置されている。Ｐ−ＴＦＴ１８５のソース電極１８５ｓとゲート電極１８５ｇとは、コンタクト部ＣＮＴ６とコンタクト部ＣＮＴ７とを介して電源配線１８３に電気的に接続されている。Ｎ−ＴＦＴ１８６のソース電極１８６ｓとゲート電極１８６ｇとは、コンタクト部ＣＮＴ８とコンタクト部ＣＮＴ９とを介して電源配線１８４に電気的に接続されている。Ｐ−ＴＦＴ１８５のドレイン電極１８５ｄとＮ−ＴＦＴ１８６のドレイン電極１８６ｄとは、コンタクト部ＣＮＴ５を介して第１映像信号線１６５Ｅの第１部分１６５ａに電気的に接続されている。
【０１１５】
このようなＰ−ＴＦＴ１８５及びＮ−ＴＦＴ１８６の配置は、端子ｔ２１に電気的に接続される第２静電気保護回路１８２も同様である。具体的には、第２静電気保護回路１８２では、第１延在部１６５ｄと第２延在部１６６ｄとの間において、第１延在部１６５ｄ側にＰ−ＴＦＴ１８５が配置され、第２延在部１６６ｄ側にＮ−ＴＦＴ１８６が配置されている。電源配線１８３と電源配線１８４とは、Ｐ−ＴＦＴ１８５及びＮ−ＴＦＴ１８６を挟むようにＹ方向に所定の間隔においてＸ方向へ延在している。ＶＳＳ（ＧＮＤ）が供給される電源配線１８４が端子ｔ２１側に配置されている。Ｐ−ＴＦＴ１８５のソース電極１８５ｓとゲート電極１８５ｇとは、コンタクト部ＣＮＴ６とコンタクト部ＣＮＴ７とを介して電源配線１８３に電気的に接続されている。Ｎ−ＴＦＴ１８６のソース電極１８６ｓとゲート電極１８６ｇとは、コンタクト部ＣＮＴ８とコンタクト部ＣＮＴ９とを介して電源配線１８４に電気的に接続されている。Ｐ−ＴＦＴ１８５のドレイン電極１８５ｄとＮ−ＴＦＴ１８６のドレイン電極１８６ｄとは、コンタクト部ＣＮＴ５を介して第２映像信号線１６６Ｅの第４部分１６６ａに電気的に接続されている。
【０１１６】
本実施形態では、電気的な接続における信頼性を確保するため、コンタクト部ＣＮＴ１，ＣＮＴ２，ＣＮＴ４，ＣＮＴ５，ＣＮＴ６，ＣＮＴ７，ＣＮＴ８，ＣＮＴ９のそれぞれを複数設ける構成としている。特に、電源配線１８３，１８４との電気的な接続に係るコンタクト部ＣＮＴ７，ＣＮＴ９は、複数設けることが好ましい。
【０１１７】
図１４に示すように、素子基板１０１の基材１０１ｓ上には、第１配線層６１、第１絶縁層１０１ａ、ゲート絶縁層１０１ｂ、第２配線層６２、第２絶縁層１０１ｃ、第３配線層６３、第３絶縁層１０１ｄ、第４配線層６４、第４絶縁層１０１ｅ、第５配線層６５がこの順に設けられている。第１配線層６１は遮光層として機能する例えばタングステンなどの金属や当該金属のシリサイドなどの配線材料が用いられている。第２配線層６２は、ゲート電極や抵抗素子Ｒ１を構成する例えば導電性のポリシリコンなどの配線材料が用いられている。第３配線層６３は、第１映像信号線１６５Ｅや第２映像信号線１６６Ｅを構成する例えば、アルミニウムやチタンなどの低抵抗配線材料が用いられている。第４配線層６４は、電源配線１８３，１８４を構成する例えば、アルミニウムやチタンなどの低抵抗配線材料が用いられている。第５配線層６５は、画素電極を構成する例えばＩＴＯやＩＺＯなどの透明導電材料が用いられている。第１絶縁層１０１ａ、ゲート絶縁層１０１ｂ、第２絶縁層１０１ｃ、第３絶縁層１０１ｄ、第４絶縁層１０１ｅは、例えば酸化シリコンや窒化シリコンなどの絶縁材料を用いて構成されている。
【０１１８】
第１端子群１６１の第１端子としての端子ｔ１１は、第３配線層６３、第４配線層６４、第５配線層６５を用いて構成されており、端子ｔ１１において第３配線層６３と第４配線層６４とは第３絶縁層１０１ｄを貫通する複数のコンタクト部ＣＮＴ２を介して電気的に接続され、第４配線層６４と第５配線層６５とは第４絶縁層１０１ｅを貫通するコンタクト部ＣＮＴ３を介して電気的に接続されている。第２端子群１６２の第２端子としての端子ｔ２１の配線構造は、第１端子群１６１の第１端子としての端子ｔ１１と同じである。なお、端子構造において、端子ｔ１１は第２配線層６２とは接続していないが、別途コンタクト部を設けて第２配線層６２と第３配線層６３とを電気的に接続してもよい。
【０１１９】
図１５に示すように、第１静電気保護回路１８１のＰ−ＴＦＴ１８５の半導体層１８５ａ及びＮ−ＴＦＴ１８６の半導体層１８６ａは、第１絶縁層１０１ａ上にそれぞれ島状に独立して形成される。半導体層１８５ａ及び半導体層１８６ａは、例えばポリシリコンからなり、Ｐ型あるいはＮ型の不純物イオンが選択的に注入されて形成された低濃度不純物領域と高濃度不純物領域とを含んで構成されている。基材１０１ｓ上には第１配線層６１が設けられている。第１配線層６１は平面視で半導体層１８５ａ及び半導体層１８６ａと重なるように配置されている。
【０１２０】
半導体層１８５ａの低濃度不純物領域であるチャネル領域に対してゲート絶縁層１０１ｂを挟んで対向する位置にゲート電極１８５ｇが設けられている。同じく、半導体層１８６ａの低濃度不純物領域であるチャネル領域に対してゲート絶縁層１０１ｂを挟んで対向する位置にゲート電極１８６ｇが設けられている。
【０１２１】
ゲート電極１８５ｇ，１８６ｇとゲート絶縁層１０１ｂとを覆うように第２絶縁層１０１ｃが設けられている。第２絶縁層１０１ｃのうち半導体層１８５ａの高濃度不純物領域であるソース領域と重なる位置に貫通孔が形成され、該貫通孔を埋めるようにして配線６３ａが形成され、配線６３ａによってＰ−ＴＦＴ１８５のソース電極１８５ｓとして機能するコンタクト部ＣＮＴ６が構成されている。第２絶縁層１０１ｃのうち半導体層１８６ａの高濃度不純物領域であるソース領域と重なる位置に貫通孔が形成され、該貫通孔を埋めるようにして配線６３ｃが形成され、配線６３ｃによってＮ−ＴＦＴ１８６のソース電極１８６ｓとして機能するコンタクト部ＣＮＴ８が構成されている。第２絶縁層１０１ｃのうち半導体層１８５ａの高濃度不純物領域であるドレイン領域と半導体層１８６ａの高濃度不純物領域であるドレイン領域とに重なる位置にそれぞれ貫通孔が形成され、２つの貫通孔を埋めるようにして配線６３ｂが形成されている。配線６３ｂによって、Ｐ−ＴＦＴ１８５のドレイン電極１８５ｄ及びＮ−ＴＦＴ１８６のドレイン電極１８６ｄとして機能するコンタクト部ＣＮＴ５と、第１映像信号線１６５Ｅの第１部分１６５ａとして機能する部分とが構成されている。配線６３ａ，６３ｂ，６３ｃは第３配線層６３に含まれている。配線６３ａ，６３ｂ，６３ｃと第２絶縁層１０１ｃとを覆うように第３絶縁層１０１ｄが形成され、第３絶縁層１０１ｄ上に第４配線層６４が形成される。第４配線層６４は、電源配線１８３，１８４を含むものであり、例えば電源配線１８３は第３絶縁層１０１ｄを貫通して配線６３ａに至るコンタクト部ＣＮＴ７を介してＰ−ＴＦＴ１８５のソース電極１８５ｓとして機能する配線６３ａに電気的に接続される。なお、図示しないが、第２配線層６２に設けられたゲート電極１８５ｇと第３配線層６３に設けられＶＤＤが供給される配線とはコンタクト部ＣＮＴ６の形成時に同時に形成されるコンタクト部によって電気的に接続される。第２配線層６２に設けられたゲート電極１８６ｇと第３配線層６３に設けられＶＳＳが供給される配線とはコンタクト部ＣＮＴ８の形成時に同時に形成されるコンタクト部によって電気的に接続される。
【０１２２】
このような基材１０１ｓ上における配線層及びＰ−ＴＦＴ１８５、Ｎ−ＴＦＴ１８６の配置は、第２静電気保護回路１８２も同様である。
【０１２３】
２−１−６．実施例６
図１６は第２実施形態の実施例６の映像信号線及び静電気保護回路の配置を示す概略平面図、図１７は実施例６の静電気保護回路のトランジスターの配置を示す概略平面図である。実施例６は、上記第１実施形態において示した実施例４の映像信号線に対して静電気保護回路を設けたものである。したがって、実施例４と同じ構成には同じ符号を付して詳細な説明は省略する。
【０１２４】
図１６に示すように、実施例６では、第１端子群１６１の端子ｔ１１に第１映像信号線１６７が電気的に接続されている。また、第２端子群１６２の端子ｔ２１に第２映像信号線１６８が電気的に接続されている。同様に、第１端子群１６１の端子ｔ１２に第１映像信号線１６７が電気的に接続されている。また、第２端子群１６２の端子ｔ２２に第２映像信号線１６８が電気的に接続されている。
【０１２５】
第１映像信号線１６７は、端子ｔ１１から第２端子群１６２側、つまり＋Ｙ方向へ延在する第１部分１６７ａと、第１部分１６７ａから第１部分１６７ａと交差し＋Ｘ方向へ延在する第２部分１６７ｂと、第２部分１６７ｂから−Ｙ方向にデータ線選択回路１５０側へ延在する第３部分１６７ｃと、第３部分１６７ｃからデータ線選択回路１５０と反対側の＋Ｙ方向へ延在する第１延在部１６７ｄとを有している。第３部分１６７ｃは、端子ｔ１１の＋Ｘ方向側の長辺に沿って−Ｙ方向へ延在し、第１延在部１６７ｄは、端子ｔ２１の＋Ｘ方向側の長辺に沿って＋Ｙ方向へ延在している。
【０１２６】
第２映像信号線１６８は、端子ｔ２１から第１端子群１６１側、つまり−Ｙ方向へ延在する第４部分１６８ａと、第４部分１６８ａから第４部分１６８ａに交差し、第１映像信号線１６７の第２部分１６７ｂと反対方向の−Ｘ方向へ延在する第５部分１６８ｂと、第５部分１６８ｂから−Ｙ方向にデータ線選択回路１５０側へ延在する第６部分１６８ｃと、第６部分１６８ｃからデータ線選択回路１５０と反対側の＋Ｙ方向へ延在する第２延在部１６８ｄとを有している。第６部分１６８ｃは、端子ｔ１１の−Ｘ方向側の長辺に沿って−Ｙ方向へ延在し、第２延在部１６８ｄは、端子ｔ２１の−Ｘ方向側の長辺に沿って＋Ｙ方向へ延在している。Ｘ方向に隣り合う端子ｔ１１と端子ｔ１２との間において、第１映像信号線１６７の第３部分１６７ｃと、第２映像信号線１６８の第６部分１６８ｃとが並行して延在している。また、Ｘ方向に隣り合う端子ｔ２１と端子ｔ２２との間において、第１映像信号線１６７の第１延在部１６７ｄと、第２映像信号線１６８の第２延在部１６８ｄとが並行して延在している。
【０１２７】
第１映像信号線１６７の第２部分１６７ｂと、第２映像信号線１６８の第５部分１６８ｂとは、Ｘ方向へ延在する仮想のセンターラインＣＬ１上に位置している。また、第１映像信号線１６７の第２部分１６７ｂと第３部分１６７ｃ及び第１延在部１６７ｄとの接続点Ｃと、第２映像信号線１６８の第５部分１６８ｂと第６部分１６８ｃ及び第２延在部１６８ｄとの接続点Ｇとは、Ｘ方向へ延在する仮想のセンターラインＣＬ１上に位置している。
【０１２８】
第１映像信号線１６７と第２映像信号線１６８とは同じ線幅で、同一配線層に形成されている。第１映像信号線１６７の第１部分１６７ａと第２映像信号線１６８の第４部分１６８ａとは同じ長さである。第１映像信号線１６７の第２部分１６７ｂと第２映像信号線１６８の第５部分１６８ｂとは同じ長さである。第１映像信号線１６７の第３部分１６７ｃと第２映像信号線１６８の第６部分１６８ｃとは同じ長さである。第１映像信号線１６７の第１延在部１６７ｄと第２映像信号線１６８の第２延在部１６８ｄとは同じ長さである。つまり、第１映像信号線１６７と第２映像信号線１６８とは同じ長さである。
【０１２９】
なお、第１映像信号線１６７のうち第３部分１６７ｃからデータ線選択回路１５０に向かう束線は単純な直線でなく斜め配線であってもよい。同様に、第２映像信号線１６８のうち第６部分１６８ｃからデータ線選択回路１５０に向かう束線は単純な直線でなく、第１映像信号線１６７に沿った斜め配線であってもよい。
【０１３０】
また、第１映像信号線１６７の第１延在部１６７ｄ及び第２映像信号線１６８の第２延在部１６８ｄの＋Ｙ方向側の端部は、端子部１０５の一辺１０５ａに到達してもよく、図示しない検査信号線や、静電破壊抑制のためのガードリングに接続する構成であってもよい。
【０１３１】
図１６に示すように、各端子ｔ１１，ｔ１２，ｔ２１，ｔ２２に近接した破線で示す範囲に、第１映像信号線１６７の第１部分１６７ａに電気的に接続された第１静電気保護回路１８１が設けられている。同様に、第２映像信号線１６８の第４部分１６８ａに電気的に接続された第２静電気保護回路１８２が設けられている。第１静電気保護回路１８１と第２静電気保護回路１８２とは電気的に同じ構成となっている。
【０１３２】
図１７は、実施例６における、第１端子群１６１の端子ｔ１１に電気的に接続された第１静電気保護回路１８１と、第２端子群１６２の端子ｔ２１に電気的に接続された第２静電気保護回路１８２とにおける電気的な構成の配置を具体的に示す平面図である。なお、図示の関係上、実際にはＹ方向に長い矩形状の端子ｔ１１及び端子ｔ２１の形状を縮めて表示している。
【０１３３】
図１７に示すように、第１映像信号線１６７のうち第３部分１６７ｃ及び第１延在部１６７ｄと、第２映像信号線１６８のうち第６部分１６８ｃ及び第２延在部１６８ｄとは、Ｘ方向に間隔を置いて並行して配置されている。第３部分１６７ｃと第６部分１６８ｃとの間の仮想のセンターラインＣＬ２上に、第１静電気保護回路１８１の抵抗素子Ｒ１と、Ｐ−ＴＦＴ１８５及びＮ−ＴＦＴ１８６とが配置されている。また、第１延在部１６７ｄと第２延在部１６８ｄとの間の仮想のセンターラインＣＬ２上に第２静電気保護回路１８２の抵抗素子Ｒ１と、Ｐ−ＴＦＴ１８５及びＮ−ＴＦＴ１８６とが配置されている。抵抗素子Ｒ１は、平面的に配線を蛇行させることにより所定の電気抵抗を実現させたものである。第１静電気保護回路１８１では、蛇行させた配線の一方の端がコンタクト部ＣＮＴ１及びコンタクト部ＣＮＴ２を介して端子ｔ１１と電気的に接続されている。また、蛇行させた配線の他方の端がコンタクト部ＣＮＴ４を介して第１部分１６７ａに電気的に接続されている。第２静電気保護回路１８２では、蛇行させた配線の一方の端がコンタクト部ＣＮＴ１及びコンタクト部ＣＮＴ２を介して端子ｔ２１と電気的に接続されている。また、蛇行させた配線の他方の端がコンタクト部ＣＮＴ４を介して第４部分１６８ａに電気的に接続されている。なお、端子ｔ１１及び端子ｔ２１のそれぞれは、コンタクト部ＣＮＴ３を介して下層に位置する配線層と接続されている。
【０１３４】
第１映像信号線１６７の第１部分１６７ａと、第２映像信号線１６８の第４部分１６８ａとは、それぞれＹ方向へ延在するセンターラインＣＬ２に沿って配置されている。第１映像信号線１６７の第２部分１６７ｂは第１部分１６７ａに対して直交して＋Ｘ方向へ延在し、接続点Ｃで第３部分１６７ｃと第１延在部１６７ｄとに電気的に接続されている。第２映像信号線１６８の第５部分１６８ｂは第４部分１６８ａに対して直交して−Ｘ方向へ延在し、接続点Ｇで第６部分１６８ｃと第２延在部１６８ｄとに電気的に接続されている。第２部分１６７ｂ及び第５部分１６８ｂはＸ方向へ延在する仮想のセンターラインＣＬ１上に配置されている。
【０１３５】
第１静電気保護回路１８１では、第３部分１６７ｃと第６部分１６８ｃとの間において、電源配線１８３と電源配線１８４とは、Ｙ方向に所定の間隔においてＸ方向へ延在している。ＶＳＳ（ＧＮＤ）が供給される電源配線１８４が端子ｔ１１側に配置されている。また、電源配線１８３と電源配線１８４との間において、電源配線１８３側にＰ−ＴＦＴ１８５が配置され、電源配線１８４側にＮ−ＴＦＴ１８６が配置されている。Ｐ−ＴＦＴ１８５のソース電極１８５ｓとゲート電極１８５ｇとは、コンタクト部ＣＮＴ６とコンタクト部ＣＮＴ７とを介して電源配線１８３に電気的に接続されている。Ｎ−ＴＦＴ１８６のソース電極１８６ｓとゲート電極１８６ｇとは、コンタクト部ＣＮＴ８とコンタクト部ＣＮＴ９とを介して電源配線１８４に電気的に接続されている。Ｐ−ＴＦＴ１８５のドレイン電極１８５ｄとＮ−ＴＦＴ１８６のドレイン電極１８６ｄとは、コンタクト部ＣＮＴ５を介して第１映像信号線１６７の第１部分１６７ａに電気的に接続されている。
【０１３６】
このようなＰ−ＴＦＴ１８５及びＮ−ＴＦＴ１８６の配置は、端子ｔ２１に電気的に接続される第２静電気保護回路１８２も同様である。具体的には、第２静電気保護回路１８２では、第１延在部１６７ｄと第２延在部１６８ｄとの間において、電源配線１８３と電源配線１８４とは、Ｙ方向に所定の間隔においてＸ方向へ延在している。ＶＳＳ（ＧＮＤ）が供給される電源配線１８４が端子ｔ２１側に配置されている。また、電源配線１８３と電源配線１８４との間において、電源配線１８３側にＰ−ＴＦＴ１８５が配置され、電源配線１８４側にＮ−ＴＦＴ１８６が配置されている。Ｐ−ＴＦＴ１８５のソース電極１８５ｓとゲート電極１８５ｇとは、コンタクト部ＣＮＴ６とコンタクト部ＣＮＴ７とを介して電源配線１８３に電気的に接続されている。Ｎ−ＴＦＴ１８６のソース電極１８６ｓとゲート電極１８６ｇとは、コンタクト部ＣＮＴ８とコンタクト部ＣＮＴ９とを介して電源配線１８４に電気的に接続されている。Ｐ−ＴＦＴ１８５のドレイン電極１８５ｄとＮ−ＴＦＴ１８６のドレイン電極１８６ｄとは、コンタクト部ＣＮＴ５を介して第２映像信号線１６８の第４部分１６８ａに電気的に接続されている。
【０１３７】
実施例６は、実施例５に比べて、Ｘ方向へ延在する仮想のセンターラインＣＬ１を挟んで隣り合う２つの電源配線１８３の間の距離を狭めることができる。これによって、電源配線１８３と電源配線１８４とにおけるＹ方向の間隔を広くすることができ、電源配線１８３と電源配線１８４との間において、Ｙ方向へ延在するセンターラインＣＬ２上にＰ−ＴＦＴ１８５とＮ−ＴＦＴ１８６とを配置することができる。したがって、実施例６では、第１静電気保護回路１８１のＰ−ＴＦＴ１８５及びＮ−ＴＦＴ１８６と第３部分１６７ｃ及び第６部分１６８ｃとの間隔を広くでき、第２静電気保護回路１８２のＰ−ＴＦＴ１８５及びＮ−ＴＦＴ１８６と第１延在部１６７ｄ及び第２延在部１６８ｄとの間隔を広くできる。ゆえに、端子ｔ１１に侵入して第１静電気保護回路１８１を流れる静電気が途中で他の配線にリークし難くなり、静電気を電源配線１８３，１８４へと確実に導くことができる。同様に、端子ｔ２１に侵入して第２静電気保護回路１８２を流れる静電気が途中で他の配線にリークし難くなり、静電気を電源配線１８３，１８４へと確実に導くことができる。また、Ｐ−ＴＦＴ１８５とＮ−ＴＦＴ１８６とをセンターラインＣＬ２上に並べたので、実施例５のようにＸ方向に２個のトランジスターを配置する場合と比べて、第１端子群１６１及び第２端子群１６２において複数の端子がＸ方向に狭ピッチで配置されていても第１静電気保護回路１８１及び第２静電気保護回路１８２を設けることができる。
【０１３８】
なお、上記に示した実施例５や実施例６の静電気保護回路１８０は、上記第１実施形態に示した実施例１や実施例２における映像信号線に対しても適用することが可能である。
【０１３９】
上記第２実施形態の液晶装置によれば、上記第１実施形態の効果（１）、（２）、（４）に加えて、以下の効果が得られる。
（５）第１映像信号線の第１部分に第１静電気保護回路１８１が電気的に接続され、第２映像信号線の第４部分に第２静電気保護回路１８２が電気的に接続されている。したがって、第１端子群１６１の第１端子または第２端子群１６２の第２端子に侵入した静電気は抵抗素子Ｒ１で減衰した後に、Ｐ−ＴＦＴ１８５またはＮ−ＴＦＴ１８６を経て、電源配線１８３または電源配線１８４に接地される。つまり、第１端子に侵入した静電気により第１映像信号線が損傷したり、第２端子に侵入した静電気により第２映像信号線が損傷したりすることを防止することができる。
【０１４０】
（６）第１静電気保護回路１８１及び第２静電気保護回路１８２は、Ｙ方向において第１端子群１６１と第２端子群１６２との間に配置されることから、データ線選択回路１５０と第１端子群１６１との間に第１静電気保護回路１８１を配置する場合に比べて、素子基板１０１の端子部１０５における面積を省スペース化することができる。言い換えれば、映像信号線のそれぞれに静電気保護回路１８０を設けたとしても小型な液晶装置を実現できる。
【０１４１】
３．第３実施形態
３−１．電子機器
次に、本実施形態の電子機器について、投射型表示装置を例に挙げ、図１８を参照して説明する。図１８は第３実施形態の電子機器としての投射型表示装置の構成を示す概略図である。
【０１４２】
図１８に示すように、本実施形態の電子機器としての投射型表示装置１０００は、光源としてのランプユニット１００１と、色光分離手段としてのダイクロイックミラー１０１１，１０１２と、３つの光変調手段としての液晶装置１Ｂ，１Ｇ，１Ｒと、３つの反射ミラー１１１１，１１１２，１１１３と、３つのリレーレンズ１１２１，１１２２，１１２３と、色光合成手段としてのダイクロイックプリズム１１３０と、投射光学系としての投射レンズ群１１４０と、を備えている。
【０１４３】
ランプユニット１００１は、白色光をシステム光軸に沿って射出する、例えば、超高圧水銀灯などの光源である。ランプユニット１００１から射出された白色光は、内部に配置された２枚のダイクロイックミラー１０１１，１０１２によって赤色（Ｒ）、緑色（Ｇ）、青色（Ｂ）の色光に分離される。具体的には、ダイクロイックミラー１０１１に入射した白色光のうち赤色光（Ｒ）は、ダイクロイックミラー１０１１を透過し、赤色光（Ｒ）よりも波長が短い緑色光（Ｇ）及び青色光（Ｂ）は反射する。反射した緑色光（Ｇ）及び青色光（Ｂ）はダイクロイックミラー１０１２に入射する。ダイクロイックミラー１０１２に入射した緑色光（Ｇ）及び青色光（Ｂ）のうち波長が短い青色光（Ｂ）は、ダイクロイックミラー１０１２を透過し、波長が長い緑色光（Ｇ）は反射される。分離された色光のうち赤色光（Ｒ）は、反射ミラー１１１１で反射して色光に対応する液晶装置１Ｒに導かれる。ダイクロイックミラー１０１２で反射した緑色光（Ｇ）は色光に対応する液晶装置１Ｇに入射する。ダイクロイックミラー１０１２を透過した青色光（Ｂ）は、２つの反射ミラー１１１２，１１１３と、３つのリレーレンズ１１２１，１１２２，１１２３とを含むリレーレンズ系１１２０を介して、色光に対応する液晶装置１Ｂに導かれる。なお、青色光（Ｂ）は、赤色光（Ｒ）や緑色光（Ｇ）と比較すると光路が長いので、その損失を防ぐために、リレーレンズ系１１２０を介して導かれる。
【０１４４】
投射型表示装置１０００において、光変調手段としての液晶装置１Ｂ，１Ｇ，１Ｒは、前述した第１実施形態の液晶装置１を適用したものである。液晶装置１Ｂ，１Ｇ，１Ｒのそれぞれは、第１延長基板４１及び第２延長基板４２を介して投射型表示装置１０００内の上位回路と接続される。赤色光（Ｒ）、緑色光（Ｇ）、青色光（Ｂ）のそれぞれの色光成分の階調レベルを指定する映像信号がそれぞれ外部回路から供給されて、投射型表示装置１０００内の上位回路で処理され、液晶装置１Ｂ，１Ｇ，１Ｒがそれぞれ駆動される。液晶装置１Ｂ，１Ｇ，１Ｒによってそれぞれ変調された光は、ダイクロイックプリズム１１３０に３方向から入射する。そして、ダイクロイックプリズム１１３０において、変調された赤色光（Ｒ）及び青色光（Ｂ）は９０度に反射し、変調された緑色光（Ｇ）は透過する。したがって、各色光の画像がダイクロイックプリズム１１３０で合成された後、投射レンズ群１１４０によって拡大され、スクリーン１２００にカラー画像が投射される。
【０１４５】
光変調手段として上記第１実施形態の液晶装置１を用いていることから、第１端子群１６１及び第２端子群１６２のそれぞれの端子に電気的に接続される映像信号線の電気的な性質が異なることに起因する表示ムラが生じ難く、見栄えのよい表示品質を有する投射型表示装置１０００が実現されている。
【０１４６】
なお、光変調手段として上記第２実施形態の液晶装置を用いてもよい。また、投射型表示装置１０００については、光源として、各色の光を出射するＬＥＤ光源などを用い、かかるＬＥＤ光源から出射された色光を各々、別の光変調手段に供給するように構成してもよい。
【０１４７】
本発明を適用した電気光学装置としての液晶装置１を備えた電子機器は、上記第３実施形態の投射型表示装置１０００に限定されない。例えば、投射型のＨＵＤ（ヘッドアップディスプレイ）や直視型のＨＭＤ（ヘッドマウントディスプレイ）、パーソナルコンピューター、デジタルスチルカメラ、液晶テレビ等の電子機器に用いてもよい。
【０１４８】
なお、本発明は上述した実施形態に限定されず、上述した実施形態に種々の変更や改良などを加えることが可能である。変形例を以下に述べる。
【０１４９】
（変形例１）静電気保護回路１８０（第１静電気保護回路１８１及び第２静電気保護回路１８２）における電気的な構成は、Ｐ型のトランジスター１８５とＮ型のトランジスター１８６とを備えることに限定されない。図１９は変形例の第１静電気保護回路の電気的な構成を示す回路図である。具体的には、実施例５の変形例である。図１９に示すように、変形例の第１静電気保護回路１８１Ｂ（静電気保護回路１８０Ｂ）は、抵抗素子Ｒ１と、２つのＮ型のトランジスター１８７，１８８とを含んで構成されている。抵抗素子Ｒ１の一端は、第１端子群１６１の第１端子としての端子ｔ１１に電気的に接続され、抵抗素子Ｒ１の他端は、第１映像信号線１６５Ｅの第１部分１６５ａに電気的に接続されている。一方のＮ型のトランジスター１８７は、ＶＤＤが供給される電源配線１８３と第１部分１６５ａとの間に設けられている。Ｎ型のトランジスター１８７のドレイン電極１８７ｄは電源配線１８３に電気的に接続され、ゲート電極１８７ｇとソース電極１８７ｓとが第１部分１６５ａに電気的に接続されている。他方のＮ型のトランジスター１８８は、ＶＳＳ（ＧＮＤ）が供給される電源配線１８４と第１部分１６５ａとの間に設けられている。Ｎ型のトランジスター１８８のドレイン電極１８８ｄは第１部分１６５ａに電気的に接続され、ゲート電極１８８ｇとソース電極１８８ｓとが電源配線１８４に電気的に接続されている。端子ｔ１１に侵入した正電位の静電気は、抵抗素子Ｒ１で減衰した後に、Ｎ型のトランジスター１８７を経由して電源配線１８３に接地される。端子ｔ１１に侵入した負電位の静電気は、抵抗素子Ｒ１で減衰した後に、Ｎ型のトランジスター１８８を経由して電源配線１８４に接地される。なお、このような第１静電気保護回路１８１Ｂの構成は、第２静電気保護回路１８２にも適用できる。また、静電気保護回路を構成するトランジスターの数は２つに限定されず、例えば、４つのトランジスターを用いて構成することも可能である。また、抵抗素子Ｒ１は、端子ｔ１１と第１部分１６５ａとの間だけでなく、例えば、第１映像信号線１６３の第２部分１６３ｂと第３部分１６３ｃとの間にも抵抗素子を備える構成としてもよい。
【０１５０】
（変形例２）第１端子群１６１の第１端子に接続される第１映像信号線と、第２端子群１６２の第２端子に接続される第２映像信号線とにおける電気的な性質（電気抵抗、配線容量（配線時定数））を同じにする観点では、端子部１０５において第１端子群１６１と第２端子群１６２とをＹ方向に並列して配置することが好ましいが、第１端子群１６１及び第２端子群１６２の配置は、これに限定されるものではない。例えば、実施例１に示した第１映像信号線１６３と第２映像信号線１６４の配置では、第１端子群１６１に対して第２端子群１６２を−Ｘ方向にずらして配置することにより、第１映像信号線１６３の第２部分１６３ｂの長さと、第２映像信号線１６４の第５部分１６４ｂの長さとを同じにすることができる。なお、実施例１において、第１端子群１６１と第２端子群１６２との相対的な位置をそのままにして、第２端子群１６２の第２端子に接続される第２映像信号線１６４の第４部分１６４ａの位置を−Ｘ方向にずらしても、上記の変形例２と同様に、第１映像信号線１６３の第２部分１６３ｂの長さと、第２映像信号線１６４の第５部分１６４ｂの長さとを同じにすることができる。
【０１５１】
（変形例３）本発明が適用される電気光学装置は、上記第１実施形態や上記第２実施形態に示した透過型の液晶装置に限定されず、反射型の液晶装置にも適用可能である。また、受光型の液晶装置に限らず、例えば、画素に有機ＥＬ素子などの発光素子を備えた発光装置にも適用可能である。
【０１５２】
以下に、実施形態から導き出される内容を記載する。
【０１５３】
本願の電気光学装置は、表示領域と、第１端子を有する第１端子群と、第１端子に対して表示領域側とは反対側に配置された第２端子を有する第２端子群と、第１端子と電気的に接続された第１映像信号線と、第２端子と電気的に接続された第２映像信号線と、を備え、第１映像信号線は、第１端子から第２端子群側へ延在する第１部分と、第１部分から第１部分と交差する方向へ延在する第２部分と、第２部分から表示領域側へ延在する第３部分とを有し、第２映像信号線は、第２端子から第１端子群側へ延在する第４部分と、第４部分から第１映像信号線の第２部分に沿って延在する第５部分と、第５部分から第１映像信号線の第３部分に沿って表示領域側へ延在する第６部分とを有することを特徴とする。
【０１５４】
本願の構成によれば、第１映像信号線の第２部分に沿って延在する第５部分は、その延在方向における長さが第２部分とほぼ同じになる。また、第１映像信号線の第１部分と第２映像信号線の第４部分とは、第１端子群と第２端子群との間において相対するように延在し、第２映像信号線の第６部分は第１映像信号線の第３部分に沿って同一方向へ延在することから、第１部分及び第４部分、並びに第３部分及び第６部分のそれぞれを設計上で同じ仕様とすることができる。つまり、第１端子群及び第２端子群が配置された領域における第１映像信号線と第２映像信号線との電気的な性質の差を小さくすることができ、且つ、双方の映像信号線の設計をシンプルな構成とすることができる。すなわち、第１端子群の第１端子に接続される第１映像信号線と第２端子群の第２端子に接続される第２映像信号線との電気的な性質が異なることに起因する表示品質の低下を抑制しつつ、設計上でシンプルな構成の第１映像信号線及び第２映像信号線を備えた電気光学装置を提供することができる。
【０１５５】
また、本願の他の電気光学装置は、表示領域と、第１端子を有する第１端子群と、第１端子に対して表示領域側とは反対側に配置された第２端子を有する第２端子群と、第１端子と電気的に接続された第１映像信号線と、第２端子と電気的に接続された第２映像信号線と、を備え、第１映像信号線は、第１端子から第２端子群側へ延在する第１部分と、第１部分から第１部分と交差する方向へ延在する第２部分と、第２部分から表示領域側へ延在する第３部分とを有し、第２映像信号線は、第２端子から第１端子群側へ延在する第４部分と、第４部分から第１映像信号線の第２部分と反対方向へ延在する第５部分と、第５部分から第１映像信号線の第３部分に沿って表示領域側へ延在する第６部分とを有することを特徴とする。
【０１５６】
本願の他の電気光学装置の構成によれば、第１映像信号線の第１部分と第２映像信号線の第４部分とは、第１端子群と第２端子群との間において相対するように延在し、第２映像信号線の第６部分は第１映像信号線の第３部分に沿って同一方向へ延在する。また、第２映像信号線の第５部分は第１映像信号線の第２部分と反対方向へ延在することから、第１部分及び第４部分、第２部分及び第５部分、並びに第３部分及び第６部分をそれぞれ設計上で同じ仕様とすることができる。つまり、第１端子群及び第２端子群が配置された領域における第１映像信号線と第２映像信号線の電気的な性質の差をほぼ無くすことができ、且つ、双方の映像信号線の設計をシンプルな構成とすることができる。すなわち、第１端子群の第１端子に接続される第１映像信号線と第２端子群の第２端子に接続される第２映像信号線との電気的な性質が異なることに起因する表示品質の低下を抑制しつつ、設計上でシンプルな構成の第１映像信号線及び第２映像信号線を備えた電気光学装置を提供することができる。
【０１５７】
上記に記載の電気光学装置において、第１映像信号線の第３部分と第２映像信号線の第６部分とは、第１端子群の第１端子と、第１端子と隣り合う他の端子との間に配置されていることが好ましい。
この構成によれば、第１端子と隣り合う他の端子との間で、それぞれ表示領域側へ延在する第１映像信号線の第３部分と第２映像信号線の第６部分とが並列することになる。したがって、第１映像信号線の配線容量と第２映像信号配線の配線容量との差、言い換えれば配線時定数の差を小さくすることができる。すなわち、第１映像信号線と第２映像信号線との配線時定数の差に起因する表示品質の低下を抑制することができる。
【０１５８】
上記に記載の電気光学装置において、第１映像信号線の第３部分は、第１端子の一辺に沿って延在し、第２映像信号線の第６部分は、第１端子の一辺に対向する他の辺に沿って配置されていることが好ましい。
この構成によれば、それぞれに表示領域側へ延在する第１映像信号線の第３部分と第２映像信号線の第６部分とは、第１端子を挟んで並列することになる。したがって、第１映像信号線の配線容量と第２映像信号配線の配線容量との差、言い換えれば配線時定数の差を小さくすることができる。すなわち、第１映像信号線と第２映像信号線との配線時定数の差に起因する表示品質の低下を抑制することができる。
【０１５９】
上記に記載の電気光学装置において、第１映像信号線の第３部分から表示領域と反対側へ延在する第１延在部と、第２映像信号線の第６部分から表示領域と反対側へ延在する第２延在部と、を有することが好ましい。
この構成によれば、第１映像信号線の第３部分に第１延在部を加えた部分の配線容量と、第２映像信号線の第６部分に第２延在部を加えた部分の配線容量とが同じになる。したがって、第１映像信号線の配線時定数と第２映像信号配線の配線時定数とを同等とすることができる。すなわち、第１映像信号線と第２映像信号線との配線時定数の差に起因する表示品質の低下を防止することができる。
【０１６０】
上記に記載の電気光学装置において、第１映像信号線の第１部分に電気的に接続された第１静電気保護回路と、第２映像信号線の第４部分に電気的に接続された第２静電気保護回路と、を備えることが好ましい。
この構成によれば、第１静電気保護回路と第２静電気保護回路とを備えることにより、第１端子及び第２端子のそれぞれに侵入した静電気により第１映像信号線及び第２映像信号線が損傷することが防止され、静電気に対して耐性を有する電気光学装置を提供できる。また、第１端子群と第２端子群との間に第１静電気保護回路及び第２静電気保護回路が配置されることになり、第１端子群と表示領域との間に第１静電気保護回路を配置する場合に比べて、第１端子群や第２端子群が配置される端子部の省スペース化を図ることができる。
【０１６１】
本願の電子機器は、上記に記載の電気光学装置を備えたことを特徴とする。
本願の構成によれば、第１映像信号線と第２映像信号線との電気的な性質の差に起因する表示品質の低下が抑制された電気光学装置を備えているため、見栄えが良い表示が可能な電子機器を提供することができる。
【符号の説明】
【０１６２】
１０１…素子基板、１０５…素子基板の端子部、１１０…表示領域、１６１…第１端子群、１６２…第２端子群、１６３，１６５，１６５Ｅ，１６７…第１映像信号線、１６３ａ，１６５ａ，１６７ａ…第１映像信号線の第１部分、１６３ｂ，１６５ｂ，１６７ｂ…第１映像信号線の第２部分、１６３ｃ，１６５ｃ，１６７ｃ…第１映像信号線の第３部分、１６４，１６６，１６６Ｅ，１６８…第２映像信号線、１６４ａ，１６６ａ，１６８ａ…第２映像信号線の第４部分、１６４ｂ，１６６ｂ，１６８ｂ…第２映像新号線の第５部分、１６４ｃ，１６６ｃ，１６８ｃ…第２映像信号線の第６部分、１６５ｄ，１６７ｄ…第１映像信号線の第１延在部、１６６ｄ，１６８ｄ…第２映像信号線の第２延在部、１８１…第１静電気保護回路、１８２…第２静電気保護回路、１０００…電子機器としての投射型表示装置。
【図１】
2020144179.tif 000003
【図２】
2020144179.tif 000004
【図３】
2020144179.tif 000005
【図４】
2020144179.tif 000006
【図５】
2020144179.tif 000007
【図６】
2020144179.tif 000008
【図７】
2020144179.tif 000009
【図８】
2020144179.tif 000010
【図９】
2020144179.tif 000011
【図１０】
2020144179.tif 000012
【図１１】
2020144179.tif 000013
【図１２】
2020144179.tif 000014
【図１３】
2020144179.tif 000015
【図１４】
2020144179.tif 000016
【図１５】
2020144179.tif 000017
【図１６】
2020144179.tif 000018
【図１７】
2020144179.tif 000019
【図１８】
2020144179.tif 000020
【図１９】
2020144179.tif 000021